(57)【要約】【課題】フレーム同期確立の時間を短縮できるフレーム同期検出回路、及びそれを用いた受信装置を実現すること。【解決手段】制御情報抽出部１は制御情報を抽出する。制御情報蓄積部３は制御情報を１フレーム分格納する。シンボル番号発生部４は仮シンボル番号を出力する。信頼度算出部５は、制御情報蓄積部３に格納された制御情報を参照し、シンボル番号発生部４から出力された仮シンボル番号に対応した信頼度を算出する。最大値検出部６は、信頼度算出部５において算出された複数の信頼度を比較し、最大となる信頼度が算出された時点での仮シンボル番号を正規シンボル番号として出力する。【選択図】図２
2005065219.tif 000002
【特許請求の範囲】
【請求項１】
複数の制御データからなる制御情報が挿入されたキャリア信号から、同期信号を検出してフレーム同期を確立するフレーム同期検出回路であって、
前記キャリア信号から前記制御情報を抽出する制御情報抽出部と、
前記制御情報抽出部から得られた前記制御情報を１フレーム分格納する制御情報蓄積部と、
前記制御情報の仮信号配列順序を示す仮シンボル番号を出力するシンボル番号発生部と、
前記制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規シンボル番号として確定して出力する最大値検出部と、を具備することを特徴とするフレーム同期検出回路。
【請求項２】
複数の制御データからなる制御情報及び周期的に配置されたパイロット信号が挿入されたキャリア信号から、同期信号を検出してフレーム同期を確立するフレーム同期検出回路であって、
前記キャリア信号から前記制御情報を抽出する制御情報抽出部と、
前記制御情報抽出部から得られた前記制御情報を１フレーム分格納する制御情報蓄積部と、
前記キャリア信号からパイロット信号の配置周期を検出するパイロット周期検出部と、
前記パイロット周期検出部により検出されたパイロット信号の周期に基づき、前記制御情報の仮信号配列順序を示す仮シンボル番号を出力するシンボル番号発生部と、
前記制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規のシンボル番号として確定して出力する最大値検出部と、を具備することを特徴とするフレーム同期検出回路。
【請求項３】
複数の制御データからなる制御情報が挿入されたキャリア信号から、同期信号を検出してフレーム同期を確立するフレーム同期検出回路であって、
前記キャリア信号から前記制御情報を抽出する制御情報抽出部と、
前記制御情報抽出部から得られた前記制御情報を１フレーム分格納する制御情報蓄積部と、
前記制御情報の仮信号配列順序を示す仮シンボル番号を出力するシンボル番号発生部と、
前記シンボル番号発生部から発生される仮シンボル番号に基づき、前記制御情報蓄積部に蓄積された制御情報に対して誤り訂正復号を行う制御情報復号部と、
前記制御情報復号部により誤り訂正復号された前記制御情報を蓄積する復号制御情報蓄積部と、
前記復号制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規シンボル番号として確定して出力する最大値検出部と、を具備することを特徴とするフレーム同期検出回路。
【請求項４】
複数の制御データからなる制御情報及び周期的に配置されたパイロット信号が挿入されたキャリア信号から、同期信号を検出してフレーム同期を確立するフレーム同期検出回路
であって、
前記キャリア信号から前記制御情報を抽出する制御情報抽出部と、
前記制御情報抽出部から得られた前記制御情報を１フレーム分格納する制御情報蓄積部と、
前記キャリア信号からパイロット信号の配置周期を検出するパイロット周期検出部と、
前記パイロット周期検出部により検出されたパイロット信号の周期に基づき、前記制御情報の仮信号配列順序を示す仮シンボル番号を出力するシンボル番号発生部と、
前記シンボル番号発生部から発生される仮シンボル番号に基づき、前記制御情報蓄積部に蓄積された制御情報に対して誤り訂正復号を行う制御情報復号部と、
前記制御情報復号部により誤り訂正復号された前記制御情報を蓄積する復号制御情報蓄積部と、
前記復号制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規シンボル番号として確定して出力する最大値検出部と、を具備することを特徴とするフレーム同期検出回路。
【請求項５】
複数の制御データからなる制御情報が挿入された直交周波数分割多重信号（ＯＦＤＭ信号）から、同期信号を検出してフレーム同期を確立すると共に、放送・通信データを復調する受信装置であって、
選局を行うチューナ部と、
受信信号をデジタル信号に変換するＡ／Ｄ変換部と、
前記デジタル信号を直交検波してベースバンドのＯＦＤＭ信号に変換する直交復調部と、
前記直交復調部のＯＦＤＭ信号に対し高速フーリエ変換を行い、時間領域の信号から周波数領域のキャリア信号に変換して出力するＦＦＴ部と、
前記ＦＦＴ部のキャリア信号に対し同期検波及び差動検波のいずれか一方の復調を行い、復調信号を出力する検波部と、
前記検波部で得られた復調信号に対し、誤り復号訂正を行う誤り訂正部と、
前記誤り訂正部で得られたデジタルデータに対し復号を行い、映像信号及び音声信号のうち少なくとも一方を出力するデータ復号部と、
前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、
前記フレーム同期検出部は、
前記ＦＦＴ部のキャリア信号から前記制御情報を抽出する制御情報抽出部と、
前記制御情報抽出部から得られた前記制御情報を１フレーム分格納する制御情報蓄積部と、
前記制御情報の仮信号配列順序を示す仮シンボル番号を出力するシンボル番号発生部と、
前記制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規シンボル番号として確定して出力する最大値検出部と、を有することを特徴とする受信装置。
【請求項６】
複数の制御データからなる制御情報及び周期的に配置されたパイロット信号が挿入された直交周波数分割多重信号（ＯＦＤＭ信号）から、同期信号を検出してフレーム同期を確立すると共に、放送・通信データを復調する受信装置であって、
選局を行うチューナ部と、
受信信号をデジタル信号に変換するＡ／Ｄ変換部と、
前記デジタル信号を直交検波してベースバンドのＯＦＤＭ信号に変換する直交復調部と、
前記直交復調部のＯＦＤＭ信号に対し高速フーリエ変換を行い、時間領域の信号から周波数領域のキャリア信号に変換して出力するＦＦＴ部と、
前記ＦＦＴ部のキャリア信号に対し同期検波及び差動検波のいずれか一方の復調を行い、復調信号を出力する検波部と、
前記検波部で得られた復調信号に対し、誤り復号訂正を行う誤り訂正部と、
前記誤り訂正部で得られたデジタルデータに対し復号を行い、映像信号及び音声信号のうち少なくとも一方を出力するデータ復号部と、
前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、
前記フレーム同期検出部は、
前記ＦＦＴ部のキャリア信号から制御情報を抽出する制御情報抽出部と、
前記制御情報抽出部から得られた制御情報を１フレーム分格納する制御情報蓄積部と、
前記キャリア信号からパイロット信号の配置周期を検出するパイロット周期検出部と、
前記パイロット周期検出部により検出されたパイロット信号の周期に基づき、前記制御情報の仮信号配列順序を示す仮シンボル番号を出力するシンボル番号発生部と、
前記制御情報蓄積部に格納された制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規のシンボル番号として確定して出力する最大値検出部と、を有することを特徴とする受信装置。
【請求項７】
複数の制御データからなる制御情報が挿入された直交周波数分割多重信号（ＯＦＤＭ信号）から、同期信号を検出してフレーム同期を確立すると共に、放送・通信データを復調する受信装置であって、
選局を行うチューナ部と、
受信信号をデジタル信号に変換するＡ／Ｄ変換部と、
前記デジタル信号を直交検波してベースバンドのＯＦＤＭ信号に変換する直交復調部と、
前記直交復調部のＯＦＤＭ信号に対し高速フーリエ変換を行い、時間領域の信号から周波数領域のキャリア信号に変換して出力するＦＦＴ部と、
前記ＦＦＴ部のキャリア信号に対し同期検波及び差動検波のいずれか一方の復調を行い、復調信号を出力する検波部と、
前記検波部で得られた復調信号に対し、誤り復号訂正を行う誤り訂正部と、
前記誤り訂正部で得られたデジタルデータに対し復号を行い、映像信号及び音声信号のうち少なくとも一方を出力するデータ復号部と、
前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、
前記フレーム同期検出部は、
前記ＦＦＴ部のキャリア信号から前記制御情報を抽出する制御情報抽出部と、
前記制御情報抽出部から得られた前記制御情報を１フレーム分格納する制御情報蓄積部と、
前記制御情報の仮信号配列順序を示す仮シンボル番号を出力するシンボル番号発生部と、
前記シンボル番号発生部から発生される仮シンボル番号に基づき、前記制御情報蓄積部
に蓄積された制御情報に対して誤り訂正復号を行う制御情報復号部と、
前記制御情報復号部により誤り訂正復号された前記制御情報を蓄積する復号制御情報蓄積部と、
前記復号制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規シンボル番号として確定して出力する最大値検出部と、を有することを特徴とする受信装置。
【請求項８】
複数の制御データからなる制御情報及び周期的に配置されたパイロット信号が挿入された直交周波数分割多重信号（ＯＦＤＭ信号）から、同期信号を検出してフレーム同期を確立すると共に、放送・通信データを復調する受信装置であって、
選局を行うチューナ部と、
受信信号をデジタル信号に変換するＡ／Ｄ変換部と、
前記デジタル信号を直交検波してベースバンドのＯＦＤＭ信号に変換する直交復調部と、
前記直交復調部のＯＦＤＭ信号に対し高速フーリエ変換を行い、時間領域の信号から周波数領域のキャリア信号に変換して出力するＦＦＴ部と、
前記ＦＦＴ部のキャリア信号に対し同期検波及び差動検波のいずれか一方の復調を行い、復調信号を出力する検波部と、
前記検波部で得られた復調信号に対し、誤り復号訂正を行う誤り訂正部と、
前記誤り訂正部で得られたデジタルデータに対し復号を行い、映像信号及び音声信号のうち少なくとも一方を出力するデータ復号部と、
前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、
前記フレーム同期検出部は、
前記ＦＦＴ部のキャリア信号から前記制御情報を抽出する制御情報抽出部と、
前記制御情報抽出部から得られた前記制御情報を１フレーム分格納する制御情報蓄積部と、
前記キャリア信号からパイロット信号の配置周期を検出するパイロット周期検出部と、
前記パイロット周期検出部により検出されたパイロット信号の周期に基づき、前記制御情報の仮信号配列順序を示す仮シンボル番号を出力するシンボル番号発生部と、
前記シンボル発生部から発生される仮シンボル番号に基づき、前記制御情報蓄積部に蓄積された制御情報に対して誤り訂正復号を行う制御情報復号部と、
前記制御情報復号部により誤り訂正復号された前記制御情報を蓄積する復号制御情報蓄積部と、
前記復号制御情報蓄積部に格納された前記制御情報を参照し、前記シンボル番号発生部から出力された仮シンボル番号に対応した各制御データの信頼度を算出する信頼度算出部と、
前記信頼度算出部において算出された仮シンボル番号による複数の信頼度を比較し、最大となる信頼度が算出された時点での仮シンボル番号を正規シンボル番号として確定して出力する最大値検出部と、を有することを特徴とする受信装置。
【請求項９】
前記信頼度算出部は、
前記シンボル番号発生部から出力された仮シンボル番号に基づいて、前記制御情報蓄積部に格納された制御情報から、特定のビット位置にある１個以上の制御データを抽出するデータ抽出部と、
前記データ抽出部において抽出された１個以上の制御データの信頼度をそれぞれ判定し
、前記信頼度を数値的に出力する信頼度判定部と、
前記信頼度判定部から出力された１個以上の信頼度を加算する加算部と、を具備することを特徴とする請求項１〜４のいずれか１項記載のフレーム同期検出回路。
【請求項１０】
前記信頼度算出部は、
前記シンボル番号発生部から出力された仮シンボル番号に基づいて、前記制御情報蓄積部に格納された制御情報から、特定のビット位置にある１〜Ｎ個の制御データを抽出するデータ抽出部と、
前記データ抽出部において抽出された１〜Ｎ個の制御データの信頼度をそれぞれ判定し、前記信頼度を数値的に出力する信頼度判定部と、
前記信頼度判定部から出力された１〜Ｎ個の信頼度を加算する加算部と、を具備することを特徴とする請求項５〜８のいずれか１項記載の受信装置。
【請求項１１】
複数の制御データからなる制御情報が挿入されたキャリア信号から、同期信号を検出してフレーム同期を確立するフレーム同期検出方法であって、
前記キャリア信号から前記制御情報を抽出し、
得られた前記制御情報を１フレーム分格納し、
前記制御情報の仮信号配列順序を示す仮シンボル番号を生成し、
格納された前記制御情報を参照し、前記仮シンボル番号に対応した各制御データの信頼度を算出し、
算出された仮シンボル番号による複数の信頼度を比較し、最大となる信頼度が算出された時点での仮シンボル番号を正規シンボル番号として確定して出力することを特徴とするフレーム同期検出方法。
【請求項１２】
複数の制御データからなる制御情報及び周期的に配置されたパイロット信号が挿入されたキャリア信号から、同期信号を検出してフレーム同期を確立するフレーム同期検出方法であって、
前記キャリア信号から制御情報を抽出し、
得られた制御情報を１フレーム分格納し、
前記キャリア信号からパイロット信号の配置周期を検出し、
検出されたパイロット信号の周期に基づき、前記制御情報の仮信号配列順序を示す仮シンボル番号を生成し、
格納された制御情報を参照し、前記仮シンボル番号に対応した各制御データの信頼度を算出し、
算出された仮シンボル番号による複数の信頼度を比較し、最大となる信頼度が算出された時点での仮シンボル番号を正規のシンボル番号として確定して出力することを特徴とするフレーム同期検出方法。
【請求項１３】
複数の制御データからなる制御情報が挿入されたキャリア信号から、同期信号を検出してフレーム同期を確立するフレーム同期検出方法であって、
前記キャリア信号から前記制御情報を抽出し、
得られた前記制御情報を１フレーム分格納し、
前記制御情報の仮信号配列順序を示す仮シンボル番号を生成し、
前記仮シンボル番号に基づき、蓄積された制御情報に対して誤り訂正復号を行い、
誤り訂正復号された前記制御情報を蓄積し、
蓄積された前記制御情報を参照し、前記仮シンボル番号に対応した各制御データの信頼度を算出し、
算出された仮シンボル番号による複数の信頼度を比較し、最大となる信頼度が算出された時点での仮シンボル番号を正規シンボル番号として確定して出力することを特徴とするフレーム同期検出方法。
【請求項１４】
複数の制御データからなる制御情報及び周期的に配置されたパイロット信号が挿入されたキャリア信号から、同期信号を検出してフレーム同期を確立するフレーム同期検出方法であって、
前記キャリア信号から前記制御情報を抽出し、
得られた前記制御情報を１フレーム分格納し、
前記キャリア信号からパイロット信号の配置周期を検出し、
検出されたパイロット信号の周期に基づき、前記制御情報の仮信号配列順序を示す仮シンボル番号を生成し、
前記仮シンボル番号に基づき、蓄積された制御情報に対して誤り訂正復号を行い、
誤り訂正復号された前記制御情報を蓄積し、
格納された前記制御情報を参照し、前記仮シンボル番号に対応した各制御データの信頼度を算出し、
算出された仮シンボル番号による複数の信頼度を比較し、最大となる信頼度が算出された時点での仮シンボル番号を正規シンボル番号として確定して出力することを特徴とするフレーム同期検出方法。
【請求項１５】
複数の制御データからなる制御情報が挿入されたキャリア信号から、フレーム同期位置を示すシンボル番号に基づき、制御情報を検出する制御情報検出回路であって、
前記キャリア信号から前記制御情報を抽出する制御情報抽出部と、
前記制御情報抽出部から得られた前記制御情報を１フレーム分格納する制御情報蓄積部と、
前記シンボル番号に基づき、前記制御情報蓄積部に蓄積された制御情報に対して誤り訂正復号を行う制御情報復号部と、を具備することを特徴とする制御情報検出回路。
【請求項１６】
複数の制御データからなる制御情報が挿入されたキャリア信号から、フレーム同期位置を示すシンボル番号に基づき、制御情報を検出する制御情報検出回路であって、
前記キャリア信号から前記制御情報を抽出する制御情報抽出部と、
前記制御情報抽出部から得られた前記制御情報を１フレーム分格納する制御情報蓄積部と、
前記シンボル番号に基づき、前記制御情報蓄積部に蓄積された制御情報に対して誤り訂正復号を行う制御情報復号部と、
前記制御情報復号部における誤り訂正復号結果に応じて、それ以降の前記制御情報復号部における誤り訂正復号のタイミングを制御する復号タイミング制御部と、を具備することを特徴とする制御情報検出回路。
【請求項１７】
前記復号タイミング制御部は、
前記制御情報復号部における誤り訂正復号結果において、復号対象の符号誤り数が所定の閾値以下であった場合には、それ以降の前記制御情報復号部における誤り訂正復号のタイミングを１フレームに１回の割合とし、復号対象の符号誤り数が所定の閾値より大きかった場合、および誤り訂正が不可能であった場合には、それ以降の前記制御情報復号部における誤り訂正復号のタイミングを１シンボルに１回の割合とすることを特徴とする請求項１６記載の制御情報検出回路。
【請求項１８】
複数の制御データからなる制御情報が挿入された直交周波数分割多重信号（ＯＦＤＭ信号）から、同期信号を検出してフレーム同期を確立すると共に、放送・通信データを復調する受信装置であって、
選局を行うチューナ部と、
受信信号をデジタル信号に変換するＡ／Ｄ変換部と、
前記デジタル信号を直交検波してベースバンドのＯＦＤＭ信号に変換する直交復調部と、
前記直交復調部のＯＦＤＭ信号に対し高速フーリエ変換を行い、時間領域の信号から周波数領域のキャリア信号に変換して出力するＦＦＴ部と、
前記ＦＦＴ部のキャリア信号に対し同期検波及び差動検波のいずれか一方の復調を行い、復調信号を出力する検波部と、
前記検波部で得られた復調信号に対し、誤り復号訂正を行う誤り訂正部と、
前記誤り訂正部で得られたデジタルデータに対し復号を行い、映像信号及び音声信号のうち少なくとも一方を出力するデータ復号部と、
前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、
前記ＦＦＴ部から出力されるキャリア信号から制御情報を検出し、検出した前記制御情報を前記検波部及び前記誤り訂正部に供給する制御情報検出部と、を具備し、
前記制御情報検出部は、
前記キャリア信号から制御情報を抽出する制御情報抽出部と、
前記制御情報抽出部から得られた前記制御情報を１フレーム分格納する制御情報蓄積部と、
前期フレーム同期検出部から出力される前記シンボル番号に基づき、前記制御情報蓄積部に蓄積された制御情報に対して誤り訂正復号を行う制御情報復号部と、を具備することを特徴とする受信装置。
【請求項１９】
複数の制御データからなる制御情報が挿入された直交周波数分割多重信号（ＯＦＤＭ信号）から、同期信号を検出してフレーム同期を確立すると共に、放送・通信データを復調する受信装置であって、
選局を行うチューナ部と、
受信信号をデジタル信号に変換するＡ／Ｄ変換部と、
前記デジタル信号を直交検波してベースバンドのＯＦＤＭ信号に変換する直交復調部と、
前記直交復調部のＯＦＤＭ信号に対し高速フーリエ変換を行い、時間領域の信号から周波数領域のキャリア信号に変換して出力するＦＦＴ部と、
前記ＦＦＴ部のキャリア信号に対し同期検波及び差動検波のいずれか一方の復調を行い、復調信号を出力する検波部と、
前記検波部で得られた復調信号に対し、誤り復号訂正を行う誤り訂正部と、
前記誤り訂正部で得られたデジタルデータに対し復号を行い、映像信号及び音声信号のうち少なくとも一方を出力するデータ復号部と、
前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、
前記ＦＦＴ部から出力されるキャリア信号から制御情報を検出し、検出した前記制御情報を前記検波部及び前記誤り訂正部に供給する制御情報検出部と、を具備し、
前記制御情報検出部は、
前記キャリア信号から制御情報を抽出する制御情報抽出部と、
前記制御情報抽出部から得られた前記制御情報を１フレーム分格納する制御情報蓄積部と、
前期フレーム同期検出部から出力される前記シンボル番号に基づき、前記制御情報蓄積部に蓄積された制御情報に対して誤り訂正復号を行う制御情報復号部と、
前記制御情報復号部における誤り訂正復号結果に応じて、それ以降の前記制御情報復号部における誤り訂正復号のタイミングを制御する復号タイミング制御部と、を具備することを特徴とする受信装置。
【請求項２０】
前記復号タイミング制御部は、前記制御情報復号部における誤り訂正復号結果において、復号対象の符号誤り数が所定の閾値以下であった場合には、それ以降の前記制御情報復号部における誤り訂正復号のタイミングを１フレームに１回の割合とし、復号対象の符号誤り数が所定の閾値より大きかった場合、および誤り訂正が不可能であった場合には、それ以降の前記制御情報復号部における誤り訂正復号のタイミングを１シンボルに１回の割合とすることを特徴とする請求項１９記載の受信装置。
【請求項２１】
複数の制御データからなる制御情報が挿入されたキャリア信号から、フレーム同期位置を示すシンボル番号に基づき、制御情報を復号する制御情報復号方法であって、
前記キャリア信号から前記制御情報を抽出し、
得られた前記制御情報を１フレーム分格納し、
前記シンボル番号に基づき、格納された制御情報に対して誤り訂正復号を行うことを特徴とする制御情報復号方法。
【請求項２２】
複数の制御データからなる制御情報が挿入されたキャリア信号から、フレーム同期位置を示すシンボル番号に基づき、制御情報を復号する制御情報復号方法であって、
前記キャリア信号から前記制御情報を抽出し、
得られた前記制御情報を１フレーム分格納し、
前記シンボル番号に基づき、格納された制御情報に対して誤り訂正復号を行うとともに、誤り訂正復号を行った結果に応じて、それ以降の誤り訂正復号を行うタイミングを制御することを特徴とする制御情報復号方法。
【請求項２３】
複数の制御データからなる制御情報が挿入されたキャリア信号から、フレーム同期位置を示すシンボル番号に基づき制御情報を復号する制御情報復号方法であって、
前記キャリア信号から前記制御情報を抽出し、
得られた前記制御情報を１フレーム分格納し、
前記シンボル番号に基づき、格納された制御情報に対して誤り訂正復号を行うとともに、誤り訂正復号を行った結果、復号対象の符号誤り数が所定の閾値以下であった場合には、それ以降の誤り訂正復号を行うタイミングを１フレームに１回の割合で行い、復号対象の符号誤り数が所定の閾値より大きかった場合、および誤り訂正が不可能であった場合には、それ以降の誤り訂正復号を行うタイミングを１シンボルに１回の割合で行うことを特徴とする制御情報復号方法。
【請求項２４】
前記制御情報蓄積部は、
蓄積データの初期値として所定の値を持つことを特徴とする請求項１〜４、９のいずれか１項記載のフレーム同期検出回路。
【請求項２５】
前記制御情報蓄積部は、
蓄積データの初期値として所定の値を持つことを特徴とする請求項５〜８、１０、１８〜２０のいずれか１項記載の受信装置。
【請求項２６】
前記制御情報蓄積部は、
蓄積データの初期値として所定の値を持つことを特徴とする請求項１５〜１７のいずれか１項記載の制御情報検出回路。
【請求項２７】
前記制御情報蓄積部は、
蓄積データの初期値として全てのビットが値「１」を持つことを特徴とする請求項１〜４、９のいずれか１項記載のフレーム同期検出回路。
【請求項２８】
前記制御情報蓄積部は、
蓄積データの初期値として全てのビットが値「１」を持つことを特徴とする請求項５〜８、１０、１８〜２０のいずれか１項記載の受信装置。
【請求項２９】
前記制御情報蓄積部は、
蓄積データの初期値として全てのビットが値「１」を持つことを特徴とする請求項１５〜１７のいずれか１項記載の制御情報検出回路。
【発明の詳細な説明】
【技術分野】
【０００１】
本発明は、直交周波数分割多重（Ｏｒｔｈｏｇｏｎａｌ  Ｆｌｅｑｕｅｎｃｙ  Ｄｉｖｉｓｉｏｎ  Ｍｕｌｔｉｐｌｅｘｉｎｇ、以下、ＯＦＤＭという）方式を用いたデジタル放送の受信装置と、特にこの受信装置に用いられるフレーム同期検出回路及びフレーム同期検出方法並びに制御情報検出回路及び制御情報復号方法に関するものである。
【背景技術】
【０００２】
日本の地上デジタルテレビジョン放送と地上デジタル音声放送とは、帯域幅は異なるが、伝送方式はほぼ同じである。以下、特に区別しない限り、両伝送方式をあわせて地上デジタル放送の伝送方式と呼ぶ。日本の地上デジタル放送方式はＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）と呼ばれ、変調方式としてＯＦＤＭを採用している。ＯＦＤＭは複数のキャリアを利用したマルチキャリアの変調方式である。ＩＳＤＢ−Ｔの信号形式は帯域幅６／１４ＭＨｚのＯＦＤＭセグメントで構成される。１３個のＯＦＤＭセグメントを用いると地上デジタルテレビジョン放送の伝送方式となり、１個又は３個のＯＦＤＭセグメントを用いると地上デジタル音声放送の伝送方式となる。
【０００３】
また、ＩＳＤＢ−Ｔでは、キャリア変調方式や畳込み符号化率などの組み合わせを変えて最大３階層までの階層伝送を行うことができる。各階層は複数のセグメントにより構成される。キャリア変調方式には、差動変調であるＤＱＰＳＫ（Ｄｉｆｆｅｒｅｎｔｉａｌ  Ｑｕａｔｅｒｎａｒｙ  Ｐｈａｓｅ  Ｓｈｉｆｔ  Ｋｅｙｉｎｇ）、同期変調であるＱＰＳＫ（Ｑｕａｔｅｒｎａｒｙ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭがある。
【０００４】
ＩＳＤＢ−Ｔには、キャリア本数の違いにより３種類のモードがある。１つのＯＦＤＭセグメントあたりのキャリア本数は、モード１では１０８本、モード２では２１６本、モード３では４３２本である。キャリア間隔はそれぞれ、２５０／６３ｋＨｚ、１２５／６３ｋＨｚ、１２５／１２６ｋＨｚである。有効シンボル長はキャリア間隔の逆数であり、それぞれ、２５２μｓ、５０４μｓ、１００８μｓである。有効シンボルに付随して、ガードインターバルという干渉を緩和する時間があり、有効シンボルとガードインターバルを合わせてシンボルと呼ぶ。ガードインターバル長は、有効シンボル長の１／４、１／８、１／１６、１／３２と４種類ある。１フレームは２０４シンボルからなるため、１フレーム長は、ガードインターバル長を１／４とすると、モード１では６４．２６ｍｓ、モード２では１２８．５２ｍｓ、モード３では２５７．０４ｍｓとなる（例えば、非特許文献１参照）。
【０００５】
図１３に、地上デジタル放送方式におけるモード１の同期変調部のＯＦＤＭセグメントの構成を示す。ＯＦＤＭセグメントの構成には、ＳＰ（Ｓｃａｔｔｅｒｅｄ  Ｐｉｌｏｔ）信号と呼ばれるパイロット信号が存在する。ＳＰ信号は図１３に示したように、周波数方向に１２キャリアに１回、シンボル方向に４シンボルに１回挿入されている。このＳＰ信号は、受信機で波形等化する際の伝送路特性を推定するために用いられ、データ信号の変調方式が同期変調のＯＦＤＭセグメントに挿入される。
【０００６】
またＯＦＤＭセグメントの構成には、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と呼ばれる制御情報を伝送するためのキャリア（キャリア信号）が存在する。同期変調部のＯＦＤＭセグメント構成においては、ＴＭＣＣ信号のキャリア本数は、モード１では１本、モード２では２本、モード３では４本である。また、差動変調部のＯＦＤＭセグメント構成においては、ＴＭＣＣ信号のキャリア本数は、モード１では５本、モード２では１０本、モード３では２０本である。
【０００７】
ＴＭＣＣ信号は、１シンボルあたり１ビットの信号を伝送し、制御情報は１フレーム分、すなわち２０４ビットで１つのブロックを構成する。ＴＭＣＣ信号がセグメント内に複数キャリアある場合は、全てのキャリアで同一の内容を伝送する。ＴＭＣＣ信号は、シンボル間のＤＢＰＳＫ（Ｄｉｆｆｅｒｅｎｔｉａｌ  Ｂｉｎａｒｙ  Ｐｈａｓｅ  Ｓｈｉｆｔ  Ｋｅｙｉｎｇ）変調によって制御情報を伝送し、最初のビットであるＢ０が差動復調の基準、Ｂ１〜Ｂ１６の１６ビットが同期信号、Ｂ１７〜Ｂ１９の３ビットがセグメント形式識別、Ｂ２０〜Ｂ１２１の１０２ビットがＴＭＣＣ情報、Ｂ１２２〜Ｂ２０３の８２ビットが誤り訂正のためのパリティビットである。このパリティビットはセグメント形式及び識別ＴＭＣＣ情報に対して設けられる。
【０００８】
同期信号には、ｗ０＝００１１０１０１１１１０１１１０と、それをビット反転したｗ１＝１１００１０１００００１０００１との２種類があり、フレーム毎にｗ０とｗ１とを交互に送出する。セグメント形式識別は、そのセグメントが差動変調部であるか同期変調部であるかを識別するための信号であり、差動変調部の場合には「１１１」、同期変調部の場合には「０００」が割り当てられる。パリティビットは、ＴＭＣＣ情報Ｂ２０〜Ｂ１２１に対して、差集合巡回符号（２７３，１９１）の短縮符号（１８４，１０２）により誤り訂正符号化を行うことにより得られる。
【０００９】
ＴＭＣＣ情報は、後述するような多数の制御データから構成される。ＴＭＣＣ情報の各制御データに対する割り当ては、Ｂ２０〜Ｂ２１の２ビットがシステム識別、Ｂ２２〜Ｂ２５の４ビットが伝送パラメータ切替指標、Ｂ２６が緊急警報放送用起動フラグ、Ｂ２７〜Ｂ６６の４０ビットが、現在の階層構成及び伝送パラメータを記述するカレント情報、Ｂ６７〜Ｂ１０６の４０ビットが、切り替え後の階層構成及び伝送パラメータを記述するネクスト情報、Ｂ１０７〜Ｂ１０９の３ビットが連結送信位相補正量、Ｂ１１０〜Ｂ１２１の１２ビットがリザーブビットである。リザーブビットには、すべて「１」をスタッフィングする。
【００１０】
システム識別は、地上デジタルテレビジョン放送システムには「００」を、地上デジタル音声放送システムには「０１」を割り当て、残りの値はリザーブとしている。伝送パラメータ切替指標は、伝送パラメータを切り替える場合に、受信機に切り替えの通知とタイミングの通知を行うために使用する。伝送パラメータ切替指標は、通常は「１１１１」の値をとるが、伝送パラメータを切り替える場合には、切り替える１５フレーム前からフレーム毎に１ずつ減少し、「００００」の次は「１１１１」に戻る。伝送パラメータの切り替えタイミングは、「００００」を送出するフレームの次のフレーム同期としている。
【００１１】
緊急警報放送用起動フラグは、受信機への起動制御が行われている場合には「１」、起動制御が行われていない場合には「０」とする。連結送信位相補正量は、地上デジタル音声放送システムにおいて、受信するセグメントが上隣接セグメントの下端キャリアを基準信号として利用する場合、当該キャリアの位相をシンボル毎に補正するために使用する。位相補正量が−π／４の場合は「０００」、あとは位相補正量が−π／４増加するごとに１ずつ増加し、地上デジタルテレビジョン放送システム及び連結送信でない場合も含めて、位相補正がない場合は「１１１」となる。
【００１２】
カレント情報の割り当ては、Ｂ２７が部分受信フラグあるいは形式識別フラグ、Ｂ２８〜Ｂ４０の１３ビットがＡ階層の伝送パラメータ情報、Ｂ４１〜Ｂ５３の１３ビットがＢ階層の伝送パラメータ情報、Ｂ５４〜Ｂ６６の１３ビットがＣ階層の伝送パラメータ情報である。ネクスト情報の割り当ては、Ｂ６７が部分受信フラグあるいは形式識別フラグ、Ｂ６８〜Ｂ８０の１３ビットがＡ階層の伝送パラメータ情報、Ｂ８１〜Ｂ９３の１３ビットがＢ階層の伝送パラメータ情報、Ｂ９４〜Ｂ１０６の１３ビットがＣ階層の伝送パラメータ情報である。カレント情報及びネクスト情報の各階層の伝送パラメータ情報の割り当ては、Ｂ２８〜Ｂ３０、Ｂ４１〜Ｂ４３、Ｂ５４〜Ｂ５６、Ｂ６８〜Ｂ７０、Ｂ８１〜Ｂ８３、Ｂ９４〜Ｂ９６の各３ビットがキャリア変調方式、Ｂ３１〜Ｂ３３、Ｂ４４〜Ｂ４６、Ｂ５７〜Ｂ５９、Ｂ７１〜Ｂ７３、Ｂ８４〜Ｂ８６、Ｂ９７〜Ｂ９９の各３ビットが畳込み符号化率、Ｂ３４〜Ｂ３６、Ｂ４７〜Ｂ４９、Ｂ６０〜Ｂ６２、Ｂ７４〜Ｂ７６、Ｂ８７〜Ｂ８９、Ｂ１００〜Ｂ１０２の各３ビットがインターリーブ長、Ｂ３７〜Ｂ４０、Ｂ５０〜Ｂ５３、Ｂ６３〜Ｂ６６、Ｂ７７〜Ｂ８０、Ｂ９０〜Ｂ９３、Ｂ１０３〜Ｂ１０６の各４ビットがセグメント数である。
【００１３】
Ｂ２７及びＢ６７は、地上デジタルテレビジョン放送方式では、部分受信フラグと呼ばれ、部分受信がある場合は「１」、部分受信がない場合は「０」であり、地上デジタル音声放送方式では、形式識別フラグと呼ばれ、１セグメント形式の場合は「０」、３セグメント形式の場合は「１」である。ネクスト情報が存在しない場合は「１」としている。地上デジタル音声放送方式における３セグメント形式では部分受信が必須であり、以下では、方式による区別なく部分受信フラグと呼ぶ。
【００１４】
キャリア変調方式は、ＤＱＰＫを「０００」、ＱＰＳＫを「００１」、１６ＱＡＭを「０１０」、６４ＱＡＭを「０１１」、未使用の階層及びネクスト情報が存在しない場合は「１１１」とし、残りの値はリザーブとしている。畳込み符号化率は、１／２を「０００」、２／３を「００１」、３／４を「０１０」、５／６を「０１１」、７／８を「１００」、未使用の階層及びネクスト情報が存在しない場合は「１１１」とし、残りの値はリザーブとしている。インターリーブ長は、モード３における時間インターリーブのパラメータＩの値として、Ｉ＝０を「０００」、Ｉ＝１を「００１」、Ｉ＝２を「０１０」、Ｉ＝４を「０１１」、Ｉ＝８を「１００」、未使用の階層及びネクスト情報が存在しない場合は「１１１」とし、残りの値はリザーブとしている。
【００１５】
地上デジタルテレビジョン放送方式では、Ｉ＝８という時間インターリーブ長のパラメータは存在しないため、「１００」もリザーブとなる。セグメント数は、１の場合が「０００１」、あとはセグメント数が増加するごとに１ずつ増加し、地上デジタルテレビジョン放送方式では、最大セグメント数１３の「１１０１」まで、地上デジタル音声放送方式では、最大セグメント数２の「００１０」までとなる。「００００」を含め、残りの値はリザーブとしている。
【００１６】
受信装置においてフレーム同期を確立するためには、同期信号を検出する必要がある。ここで、同期信号のパターンであるｗ０もしくはｗ１のいずれかを検出するだけでフレーム同期を確立したとする。このような場合、ＴＭＣＣ情報あるいはパリティビットにおいてｗ０もしくはｗ１と全く同一のパターンが送信されたときに、そのパターンを同期信号として検出してしまうため、フレーム同期の誤検出が発生する。そこで、同期信号を２度検出し、ｗ０及びｗ１のパターンが交互に送信されているのを確認することで、フレーム同期が確立したとみなし、フレーム同期の誤検出を避けることができる。
【００１７】
図１４は、従来のフレーム同期検出回路の構成を示すブロック図である。差動復調部１０１は、ＤＢＰＳＫ変調されたＴＭＣＣキャリアを、ＴＭＣＣキャリアの差動基準ビットの値を問わず、ＴＭＣＣキャリア内における各ビットの値をそれぞれの直前のビット値と比較し、変化しない場合は０、変化する場合は１として差動復調する。多数決判定部１０２は、差動復調部１０１から得られた複数のＴＭＣＣキャリアのうち、同一データ内容が格納されるべきＴＭＣＣキャリアが複数個存在するとき、これら複数のＴＭＣＣキャリアのそれぞれに対応するビットにおいて、出現頻度が最も高いビット値を判定して多数決判定したＴＭＣＣ信号を生成する。
【００１８】
１フレーム蓄積部１０３は、多数決判定部１０２から得られた１フレームのＴＭＣＣ信号を格納する。１フレーム遅延部１０４は、１フレーム蓄積部１０３内のＴＭＣＣ信号を１フレーム分遅延する。排他的論理和演算器１０５は、１フレーム蓄積部１０３から得られるＴＭＣＣ信号と、１フレーム遅延部１０４から得られるＴＭＣＣ信号との間の排他的論理和を算出する。パターン検出部１０６は、排他的論理和演算器１０５の演算結果から、ＴＭＣＣ信号に含まれる同期信号の位置を検出する。フレーム誤差検出部１０７は、パターン検出部１０６から出力された検出結果に基づいて、フレームの先頭位置から同期信号の先頭位置までのシンボル数のずれをフレーム誤差として出力する（例えば、特許文献１参照）。
【特許文献１】特開２００２−２１７８８３号公報
【非特許文献１】「地上デジタルテレビジョン放送の伝送方式標準規格」，社団法人電波産業会，ＡＲＩＢ  ＳＴＤ−Ｂ３１  １．２版，平成１４年１月２４日策定
【発明の開示】
【発明が解決しようとする課題】
【００１９】
しかしながら、従来のフレーム同期検出方法では、フレーム同期の誤検出を避けるために同期信号を２度検出することが必須となっている。この場合、信号受信からフレーム同期確立までの時間は平均値で１．５フレーム、最大値で２フレームとなる。１．５フレームの時間は、モード１では約１００ｍｓ、モード２では約１９０ｍｓ、モード３では約３９０ｍｓとなる。また、２フレームの時間は、モード１では約１３０ｍｓ、モード２では約２６０ｍｓ、モード３では約５１０ｍｓとなる。
【００２０】
地上デジタル放送を視聴する際には、チャンネルを切り替えるたびに、フレーム同期確立を行わなければならない。チャンネルを切り替えてからサービスを提示する（映像を画面に表示したり、音声を出力したりする）までにかかる時間に関して、フレーム同期確立が大きな影響を与える。
【００２１】
本発明は、同期信号を２度検出する処理を行うことなく、速やかにフレーム同期を確立することで、チャンネル切り替えにおける遅延時間の主要因、即ちフレーム同期確立の時間を短縮することのできる地上デジタル放送の受信装置を提供することを目的とする。またこの受信装置を具体化するためのフレーム同期検出回路及びこのフレーム同期検出方法、並びに制御情報検出回路開及び制御情報復号方法を実現することを目的とする。
【課題を解決するための手段】
【００２２】
本願の請求項１の発明は、複数の制御データからなる制御情報が挿入されたキャリア信号から、同期信号を検出してフレーム同期を確立するフレーム同期検出回路であって、前記キャリア信号から前記制御情報を抽出する制御情報抽出部と、前記制御情報抽出部から得られた前記制御情報を１フレーム分格納する制御情報蓄積部と、前記制御情報の仮信号配列順序を示す仮シンボル番号を出力するシンボル番号発生部と、前記制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規シンボル番号として確定して出力する最大値検出部と、を具備することを特徴とする。
【００２３】
本願の請求項２の発明は、複数の制御データからなる制御情報及び周期的に配置されたパイロット信号が挿入されたキャリア信号から、同期信号を検出してフレーム同期を確立するフレーム同期検出回路であって、前記キャリア信号から前記制御情報を抽出する制御情報抽出部と、前記制御情報抽出部から得られた前記制御情報を１フレーム分格納する制御情報蓄積部と、前記キャリア信号からパイロット信号の配置周期を検出するパイロット周期検出部と、前記パイロット周期検出部により検出されたパイロット信号の周期に基づき、前記制御情報の仮信号配列順序を示す仮シンボル番号を出力するシンボル番号発生部と、前記制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規のシンボル番号として確定して出力する最大値検出部と、を具備することを特徴とする。
【００２４】
本願の請求項３の発明は、複数の制御データからなる制御情報が挿入されたキャリア信号から、同期信号を検出してフレーム同期を確立するフレーム同期検出回路であって、前記キャリア信号から前記制御情報を抽出する制御情報抽出部と、前記制御情報抽出部から得られた前記制御情報を１フレーム分格納する制御情報蓄積部と、前記制御情報の仮信号配列順序を示す仮シンボル番号を出力するシンボル番号発生部と、前記シンボル番号発生部から発生される仮シンボル番号に基づき、前記制御情報蓄積部に蓄積された制御情報に対して誤り訂正復号を行う制御情報復号部と、前記制御情報復号部により誤り訂正復号された前記制御情報を蓄積する復号制御情報蓄積部と、前記復号制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規シンボル番号として確定して出力する最大値検出部と、を具備することを特徴とする。
【００２５】
本願の請求項４の発明は、複数の制御データからなる制御情報及び周期的に配置されたパイロット信号が挿入されたキャリア信号から、同期信号を検出してフレーム同期を確立するフレーム同期検出回路であって、前記キャリア信号から前記制御情報を抽出する制御情報抽出部と、前記制御情報抽出部から得られた前記制御情報を１フレーム分格納する制御情報蓄積部と、前記キャリア信号からパイロット信号の配置周期を検出するパイロット周期検出部と、前記パイロット周期検出部により検出されたパイロット信号の周期に基づき、前記制御情報の仮信号配列順序を示す仮シンボル番号を出力するシンボル番号発生部と、前記シンボル番号発生部から発生される仮シンボル番号に基づき、前記制御情報蓄積部に蓄積された制御情報に対して誤り訂正復号を行う制御情報復号部と、前記制御情報復号部により誤り訂正復号された前記制御情報を蓄積する復号制御情報蓄積部と、前記復号制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規シンボル番号として確定して出力する最大値検出部と、を具備することを特徴とする。
【００２６】
本願の請求項５の発明は、複数の制御データからなる制御情報が挿入された直交周波数分割多重信号（ＯＦＤＭ信号）から、同期信号を検出してフレーム同期を確立すると共に、放送・通信データを復調する受信装置であって、選局を行うチューナ部と、受信信号をデジタル信号に変換するＡ／Ｄ変換部と、前記デジタル信号を直交検波してベースバンドのＯＦＤＭ信号に変換する直交復調部と、前記直交復調部のＯＦＤＭ信号に対し高速フーリエ変換を行い、時間領域の信号から周波数領域のキャリア信号に変換して出力するＦＦＴ部と、前記ＦＦＴ部のキャリア信号に対し同期検波及び差動検波のいずれか一方の復調を行い、復調信号を出力する検波部と、前記検波部で得られた復調信号に対し、誤り復号訂正を行う誤り訂正部と、前記誤り訂正部で得られたデジタルデータに対し復号を行い、映像信号及び音声信号のうち少なくとも一方を出力するデータ復号部と、前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、前記フレーム同期検出部は、前記ＦＦＴ部のキャリア信号から前記制御情報を抽出する制御情報抽出部と、前記制御情報抽出部から得られた前記制御情報を１フレーム分格納する制御情報蓄積部と、前記制御情報の仮信号配列順序を示す仮シンボル番号を出力するシンボル番号発生部と、前記制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規シンボル番号として確定して出力する最大値検出部と、を有することを特徴とする。
【００２７】
本願の請求項６の発明は、複数の制御データからなる制御情報及び周期的に配置されたパイロット信号が挿入された直交周波数分割多重信号（ＯＦＤＭ信号）から、同期信号を検出してフレーム同期を確立すると共に、放送・通信データを復調する受信装置であって、選局を行うチューナ部と、受信信号をデジタル信号に変換するＡ／Ｄ変換部と、前記デジタル信号を直交検波してベースバンドのＯＦＤＭ信号に変換する直交復調部と、前記直交復調部のＯＦＤＭ信号に対し高速フーリエ変換を行い、時間領域の信号から周波数領域のキャリア信号に変換して出力するＦＦＴ部と、前記ＦＦＴ部のキャリア信号に対し同期検波及び差動検波のいずれか一方の復調を行い、復調信号を出力する検波部と、前記検波部で得られた復調信号に対し、誤り復号訂正を行う誤り訂正部と、前記誤り訂正部で得られたデジタルデータに対し復号を行い、映像信号及び音声信号のうち少なくとも一方を出力するデータ復号部と、前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、前記フレーム同期検出部は、前記ＦＦＴ部のキャリア信号から制御情報を抽出する制御情報抽出部と、前記制御情報抽出部から得られた制御情報を１フレーム分格納する制御情報蓄積部と、前記キャリア信号からパイロット信号の配置周期を検出するパイロット周期検出部と、前記パイロット周期検出部により検出されたパイロット信号の周期に基づき、前記制御情報の仮信号配列順序を示す仮シンボル番号を出力するシンボル番号発生部と、前記制御情報蓄積部に格納された制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規のシンボル番号として確定して出力する最大値検出部と、を有することを特徴とする。
【００２８】
本願の請求項７の発明は、複数の制御データからなる制御情報が挿入された直交周波数分割多重信号（ＯＦＤＭ信号）から、同期信号を検出してフレーム同期を確立すると共に、放送・通信データを復調する受信装置であって、選局を行うチューナ部と、受信信号をデジタル信号に変換するＡ／Ｄ変換部と、前記デジタル信号を直交検波してベースバンドのＯＦＤＭ信号に変換する直交復調部と、前記直交復調部のＯＦＤＭ信号に対し高速フーリエ変換を行い、時間領域の信号から周波数領域のキャリア信号に変換して出力するＦＦＴ部と、前記ＦＦＴ部のキャリア信号に対し同期検波及び差動検波のいずれか一方の復調を行い、復調信号を出力する検波部と、前記検波部で得られた復調信号に対し、誤り復号訂正を行う誤り訂正部と、前記誤り訂正部で得られたデジタルデータに対し復号を行い、映像信号及び音声信号のうち少なくとも一方を出力するデータ復号部と、前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、前記フレーム同期検出部は、前記ＦＦＴ部のキャリア信号から前記制御情報を抽出する制御情報抽出部と、前記制御情報抽出部から得られた前記制御情報を１フレーム分格納する制御情報蓄積部と、前記制御情報の仮信号配列順序を示す仮シンボル番号を出力するシンボル番号発生部と、前記シンボル番号発生部から発生される仮シンボル番号に基づき、前記制御情報蓄積部に蓄積された制御情報に対して誤り訂正復号を行う制御情報復号部と、前記制御情報復号部により誤り訂正復号された前記制御情報を蓄積する復号制御情報蓄積部と、前記復号制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規シンボル番号として確定して出力する最大値検出部と、を有することを特徴とする。
【００２９】
本願の請求項８の発明は、複数の制御データからなる制御情報及び周期的に配置されたパイロット信号が挿入された直交周波数分割多重信号（ＯＦＤＭ信号）から、同期信号を検出してフレーム同期を確立すると共に、放送・通信データを復調する受信装置であって、選局を行うチューナ部と、受信信号をデジタル信号に変換するＡ／Ｄ変換部と、前記デジタル信号を直交検波してベースバンドのＯＦＤＭ信号に変換する直交復調部と、前記直交復調部のＯＦＤＭ信号に対し高速フーリエ変換を行い、時間領域の信号から周波数領域のキャリア信号に変換して出力するＦＦＴ部と、前記ＦＦＴ部のキャリア信号に対し同期検波及び差動検波のいずれか一方の復調を行い、復調信号を出力する検波部と、前記検波部で得られた復調信号に対し、誤り復号訂正を行う誤り訂正部と、前記誤り訂正部で得られたデジタルデータに対し復号を行い、映像信号及び音声信号のうち少なくとも一方を出力するデータ復号部と、前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、を具備し、前記フレーム同期検出部は、前記ＦＦＴ部のキャリア信号から前記制御情報を抽出する制御情報抽出部と、前記制御情報抽出部から得られた前記制御情報を１フレーム分格納する制御情報蓄積部と、前記キャリア信号からパイロット信号の配置周期を検出するパイロット周期検出部と、前記パイロット周期検出部により検出されたパイロット信号の周期に基づき、前記制御情報の仮信号配列順序を示す仮シンボル番号を出力するシンボル番号発生部と、前記シンボル発生部から発生される仮シンボル番号に基づき、前記制御情報蓄積部に蓄積された制御情報に対して誤り訂正復号を行う制御情報復号部と、前記制御情報復号部により誤り訂正復号された前記制御情報を蓄積する復号制御情報蓄積部と、前記復号制御情報蓄積部に格納された前記制御情報を参照し、前記シンボル番号発生部から出力された仮シンボル番号に対応した各制御データの信頼度を算出する信頼度算出部と、前記信頼度算出部において算出された仮シンボル番号による複数の信頼度を比較し、最大となる信頼度が算出された時点での仮シンボル番号を正規シンボル番号として確定して出力する最大値検出部と、を有することを特徴とする。
【００３０】
本願の請求項９の発明は、請求項１〜４のいずれか１項のフレーム同期検出回路において、前記信頼度算出部は、前記シンボル番号発生部から出力された仮シンボル番号に基づいて、前記制御情報蓄積部に格納された制御情報から、特定のビット位置にある１個以上の制御データを抽出するデータ抽出部と、前記データ抽出部において抽出された１個以上の制御データの信頼度をそれぞれ判定し、前記信頼度を数値的に出力する信頼度判定部と、前記信頼度判定部から出力された１個以上の信頼度を加算する加算部と、を具備することを特徴とする。
【００３１】
本願の請求項１０の発明は、請求項５〜８のいずれか１項の受信装置において、前記信頼度算出部は、前記シンボル番号発生部から出力された仮シンボル番号に基づいて、前記制御情報蓄積部に格納された制御情報から、特定のビット位置にある１〜Ｎ個の制御データを抽出するデータ抽出部と、前記データ抽出部において抽出された１〜Ｎ個の制御データの信頼度をそれぞれ判定し、前記信頼度を数値的に出力する信頼度判定部と、前記信頼度判定部から出力された１〜Ｎ個の信頼度を加算する加算部と、を具備することを特徴とする。
【００３２】
本願の請求項１１の発明は、複数の制御データからなる制御情報が挿入されたキャリア信号から、同期信号を検出してフレーム同期を確立するフレーム同期検出方法であって、前記キャリア信号から前記制御情報を抽出し、得られた前記制御情報を１フレーム分格納し、前記制御情報の仮信号配列順序を示す仮シンボル番号を生成し、格納された前記制御情報を参照し、前記仮シンボル番号に対応した各制御データの信頼度を算出し、算出された仮シンボル番号による複数の信頼度を比較し、最大となる信頼度が算出された時点での仮シンボル番号を正規シンボル番号として確定して出力することを特徴とする。
【００３３】
本願の請求項１２の発明は、複数の制御データからなる制御情報及び周期的に配置されたパイロット信号が挿入されたキャリア信号から、同期信号を検出してフレーム同期を確立するフレーム同期検出方法であって、前記キャリア信号から制御情報を抽出し、得られた制御情報を１フレーム分格納し、前記キャリア信号からパイロット信号の配置周期を検出し、検出されたパイロット信号の周期に基づき、前記制御情報の仮信号配列順序を示す仮シンボル番号を生成し、格納された制御情報を参照し、前記仮シンボル番号に対応した各制御データの信頼度を算出し、算出された仮シンボル番号による複数の信頼度を比較し、最大となる信頼度が算出された時点での仮シンボル番号を正規のシンボル番号として確定して出力することを特徴とする。
【００３４】
本願の請求項１３の発明は、複数の制御データからなる制御情報が挿入されたキャリア信号から、同期信号を検出してフレーム同期を確立するフレーム同期検出方法であって、前記キャリア信号から前記制御情報を抽出し、得られた前記制御情報を１フレーム分格納し、前記制御情報の仮信号配列順序を示す仮シンボル番号を生成し、前記仮シンボル番号に基づき、蓄積された制御情報に対して誤り訂正復号を行い、誤り訂正復号された前記制御情報を蓄積し、蓄積された前記制御情報を参照し、前記仮シンボル番号に対応した各制御データの信頼度を算出し、算出された仮シンボル番号による複数の信頼度を比較し、最大となる信頼度が算出された時点での仮シンボル番号を正規シンボル番号として確定して出力することを特徴とする。
【００３５】
本願の請求項１４の発明は、複数の制御データからなる制御情報及び周期的に配置されたパイロット信号が挿入されたキャリア信号から、同期信号を検出してフレーム同期を確立するフレーム同期検出方法であって、前記キャリア信号から前記制御情報を抽出し、得られた前記制御情報を１フレーム分格納し、前記キャリア信号からパイロット信号の配置周期を検出し、検出されたパイロット信号の周期に基づき、前記制御情報の仮信号配列順序を示す仮シンボル番号を生成し、前記仮シンボル番号に基づき、蓄積された制御情報に対して誤り訂正復号を行い、誤り訂正復号された前記制御情報を蓄積し、格納された前記制御情報を参照し、前記仮シンボル番号に対応した各制御データの信頼度を算出し、算出された仮シンボル番号による複数の信頼度を比較し、最大となる信頼度が算出された時点での仮シンボル番号を正規シンボル番号として確定して出力することを特徴とする。
【００３６】
本願の請求項１５の発明は、複数の制御データからなる制御情報が挿入されたキャリア信号から、フレーム同期位置を示すシンボル番号に基づき、制御情報を検出する制御情報検出回路であって、前記キャリア信号から前記制御情報を抽出する制御情報抽出部と、前記制御情報抽出部から得られた前記制御情報を１フレーム分格納する制御情報蓄積部と、前記シンボル番号に基づき、前記制御情報蓄積部に蓄積された制御情報に対して誤り訂正復号を行う制御情報復号部と、を具備することを特徴とする。
【００３７】
本願の請求項１６の発明は、複数の制御データからなる制御情報が挿入されたキャリア信号から、フレーム同期位置を示すシンボル番号に基づき、制御情報を検出する制御情報検出回路であって、前記キャリア信号から前記制御情報を抽出する制御情報抽出部と、前記制御情報抽出部から得られた前記制御情報を１フレーム分格納する制御情報蓄積部と、前記シンボル番号に基づき、前記制御情報蓄積部に蓄積された制御情報に対して誤り訂正復号を行う制御情報復号部と、前記制御情報復号部における誤り訂正復号結果に応じて、それ以降の前記制御情報復号部における誤り訂正復号のタイミングを制御する復号タイミング制御部と、を具備することを特徴とする。
【００３８】
本願の請求項１７の発明は、請求項１６の制御情報検出回路において、前記復号タイミング制御部は、前記制御情報復号部における誤り訂正復号結果において、復号対象の符号誤り数が所定の閾値以下であった場合には、それ以降の前記制御情報復号部における誤り訂正復号のタイミングを１フレームに１回の割合とし、復号対象の符号誤り数が所定の閾値より大きかった場合、および誤り訂正が不可能であった場合には、それ以降の前記制御情報復号部における誤り訂正復号のタイミングを１シンボルに１回の割合とすることを特徴とする。
【００３９】
本願の請求項１８の発明は、複数の制御データからなる制御情報が挿入された直交周波数分割多重信号（ＯＦＤＭ信号）から、同期信号を検出してフレーム同期を確立すると共に、放送・通信データを復調する受信装置であって、選局を行うチューナ部と、受信信号をデジタル信号に変換するＡ／Ｄ変換部と、前記デジタル信号を直交検波してベースバンドのＯＦＤＭ信号に変換する直交復調部と、前記直交復調部のＯＦＤＭ信号に対し高速フーリエ変換を行い、時間領域の信号から周波数領域のキャリア信号に変換して出力するＦＦＴ部と、前記ＦＦＴ部のキャリア信号に対し同期検波及び差動検波のいずれか一方の復調を行い、復調信号を出力する検波部と、前記検波部で得られた復調信号に対し、誤り復号訂正を行う誤り訂正部と、前記誤り訂正部で得られたデジタルデータに対し復号を行い、映像信号及び音声信号のうち少なくとも一方を出力するデータ復号部と、前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、前記ＦＦＴ部から出力されるキャリア信号から、制御情報を検出し、検出した前記制御情報を前記検波部及び前記誤り訂正部に供給する制御情報検出部と、を具備し、前記制御情報検出部は、前記キャリア信号から制御情報を抽出する制御情報抽出部と、前記制御情報抽出部から得られた前記制御情報を１フレーム分格納する制御情報蓄積部と、前期フレーム同期検出部から出力される前記シンボル番号に基づき、前記制御情報蓄積部に蓄積された制御情報に対して誤り訂正復号を行う制御情報復号部と、を具備することを特徴とする。
【００４０】
本願の請求項１９の発明は、複数の制御データからなる制御情報が挿入された直交周波数分割多重信号（ＯＦＤＭ信号）から、同期信号を検出してフレーム同期を確立すると共に、放送・通信データを復調する受信装置であって、選局を行うチューナ部と、受信信号をデジタル信号に変換するＡ／Ｄ変換部と、前記デジタル信号を直交検波してベースバンドのＯＦＤＭ信号に変換する直交復調部と、前記直交復調部のＯＦＤＭ信号に対し高速フーリエ変換を行い、時間領域の信号から周波数領域のキャリア信号に変換して出力するＦＦＴ部と、前記ＦＦＴ部のキャリア信号に対し同期検波及び差動検波のいずれか一方の復調を行い、復調信号を出力する検波部と、前記検波部で得られた復調信号に対し、誤り復号訂正を行う誤り訂正部と、前記誤り訂正部で得られたデジタルデータに対し復号を行い、映像信号及び音声信号のうち少なくとも一方を出力するデータ復号部と、前記ＦＦＴ部から出力されるキャリア信号に対し、フレームの先頭位置から仮シンボルの先頭位置までのずれを検出し、前記ずれ量を補正したシンボル番号を正規シンボル番号として前記検波部及び前記誤り訂正部に供給するフレーム同期検出部と、前記ＦＦＴ部から出力されるキャリア信号から、制御情報を検出し、検出した前記制御情報を前記検波部及び前記誤り訂正部に供給する制御情報検出部と、を具備し、前記制御情報検出部は、前記キャリア信号から制御情報を抽出する制御情報抽出部と、前記制御情報抽出部から得られた前記制御情報を１フレーム分格納する制御情報蓄積部と、前期フレーム同期検出部から出力される前記シンボル番号に基づき、前記制御情報蓄積部に蓄積された制御情報に対して誤り訂正復号を行う制御情報復号部と、前記制御情報復号部における誤り訂正復号結果に応じて、それ以降の前記制御情報復号部における誤り訂正復号のタイミングを制御する復号タイミング制御部と、を具備することを特徴とする。
【００４１】
本願の請求項２０の発明は、請求項１９の受信装置において、前記復号タイミング制御部は、前記制御情報復号部における誤り訂正復号結果において、復号対象の符号誤り数が所定の閾値以下であった場合には、それ以降の前記制御情報復号部における誤り訂正復号のタイミングを１フレームに１回の割合とし、復号対象の符号誤り数が所定の閾値より大きかった場合、および誤り訂正が不可能であった場合には、それ以降の前記制御情報復号部における誤り訂正復号のタイミングを１シンボルに１回の割合とすることを特徴とする。
【００４２】
本願の請求項２１の発明は、複数の制御データからなる制御情報が挿入されたキャリア信号から、フレーム同期位置を示すシンボル番号に基づき、制御情報を復号する制御情報復号方法であって、前記キャリア信号から前記制御情報を抽出し、得られた前記制御情報を１フレーム分格納し、前記シンボル番号に基づき、格納された制御情報に対して誤り訂正復号を行うことを特徴とする。
【００４３】
本願の請求項２２の発明は、複数の制御データからなる制御情報が挿入されたキャリア信号から、フレーム同期位置を示すシンボル番号に基づき、制御情報を復号する制御情報復号方法であって、前記キャリア信号から前記制御情報を抽出し、得られた前記制御情報を１フレーム分格納し、前記シンボル番号に基づき、格納された制御情報に対して誤り訂正復号を行うとともに、誤り訂正復号を行った結果に応じて、それ以降の誤り訂正復号を行うタイミングを制御することを特徴とする。
【００４４】
本願の請求項２３の発明は、複数の制御データからなる制御情報が挿入されたキャリア信号から、フレーム同期位置を示すシンボル番号に基づき、制御情報を復号する制御情報復号方法であって、前記キャリア信号から前記制御情報を抽出し、得られた前記制御情報を１フレーム分格納し、前記シンボル番号に基づき、格納された制御情報に対して誤り訂正復号を行うとともに、誤り訂正復号を行った結果、復号対象の符号誤り数が所定の閾値以下であった場合には、それ以降の誤り訂正復号を行うタイミングを１フレームに１回の割合で行い、復号対象の符号誤り数が所定の閾値より大きかった場合、および誤り訂正が不可能であった場合には、それ以降の誤り訂正復号を行うタイミングを１シンボルに１回の割合で行うことを特徴とする。
【００４５】
本願の請求項２４の発明は、請求項１〜４、９のいずれか１項のフレーム同期検出回路において、前記制御情報蓄積部は、蓄積データの初期値として所定の値を持つことを特徴とする。
【００４６】
本願の請求項２５の発明は、請求項５〜８、１０、１８〜２０のいずれか１項の受信装置において、前記制御情報蓄積部は、蓄積データの初期値として所定の値を持つことを特徴とする。
【００４７】
本願の請求項２６の発明は、請求項１５〜１７のいずれか１項の制御情報検出回路において、前記制御情報蓄積部は、蓄積データの初期値として所定の値を持つことを特徴とする。
【００４８】
本願の請求項２７の発明は、請求項１〜４、９のいずれか１項のフレーム同期検出回路において、前記制御情報蓄積部は、蓄積データの初期値として全てのビットが値「１」を持つことを特徴とする。
【００４９】
本願の請求項２８の発明は、請求項５〜８、１０、１８〜２０のいずれか１項の受信装置において、前記制御情報蓄積部は、蓄積データの初期値として全てのビットが値「１」を持つことを特徴とする。
【００５０】
本願の請求項２９の発明は、請求項１５〜１７のいずれか１項の制御情報検出回路において、前記制御情報蓄積部は、蓄積データの初期値として全てのビットが値「１」を持つことを特徴とする。
【発明の効果】
【００５１】
本発明によれば、同期信号を２度検出することなく、速やかにフレーム同期を確立することで、チャンネル切り替え時における遅延時間の主要因であるフレーム同期確立の時間を短縮することができる。
【発明を実施するための最良の形態】
【００５２】
（実施の形態１）
まず本発明の実施の形態における受信装置について、図面を参照して詳細に説明する。図１は本発明の実施の形態１によるＯＦＤＭ受信装置９０１の全体構成図である。図示しない受信アンテナ又はケーブルを通じて直交周波数分割多重信号（ＯＦＤＭ信号又はＯＦＤＭ伝送信号という）がＯＦＤＭ受信装置９０１に与えられる。この信号はチューナ部９０２によって選局され、Ａ／Ｄ変換部９０３によってデジタル信号に変換される。直交復調部９０４は、入力されたデジタル信号に対し直交検波を行い、ベースバンドのＯＦＤＭ信号に変換する。ＦＦＴ部９０５は、直交復調部９０４からの信号に対し高速フーリエ変換を行い、時間領域の信号から周波数領域の信号、即ち複数のキャリア信号に変換して出力する。
【００５３】
検波部９０６は、ＦＦＴ部９０５からの信号に対し同期検波もしくは差動検波を行い、復調された信号を出力する。誤り訂正部９０７は検波部９０６で得られた復調信号に対して誤り訂正復号を行う。データ復号部９０８は、誤り訂正部９０７で得られたデジタルデータに対し、映像復号もしくは音声復号、あるいはその両方を行い、映像信号／音声信号を出力する。データ復号部９０８において復号された映像信号及び音声信号は、ＯＦＤＭ受信装置９０１の外部の表示装置及びスピーカに出力されるか、内部の表示装置及びスピーカに出力される。
【００５４】
フレーム同期検出部９０９は、ＦＦＴ部９０５から出力されるシンボル単位の信号に対し、フレームの先頭位置からシンボルの先頭位置までのずれを検出し、ずれ量を補正したシンボル番号を正規シンボル番号として、検波部９０６及び誤り訂正部９０７に供給する。
【００５５】
図２は本発明の実施の形態１におけるフレーム同期検出部９０９Ａのブロック構成図である。図２の制御情報抽出部１は、ＦＦＴ部９０５から出力されるキャリア信号から制御情報を抽出する。ここでは国内地上デジタル放送方式を例として説明し、制御情報としてはＴＭＣＣ信号を用いるものとする。
【００５６】
制御情報蓄積部３は、制御情報抽出部１から得られたＴＭＣＣ信号を１フレーム分格納する。従ってシンボル番号１〜２０３のデータが格納される。但しこの段階ではフレーム同期が確立していないので、制御情報蓄積部３に蓄積された先頭のデータは、シンボル番号０のものとは限らない。蓄積順序として例えばｍ、ｍ＋１.・・・２０３、０、１・・・ｍ−１となる場合もある。
【００５７】
シンボル番号発生部４は制御情報蓄積部３に２０４シンボルのデータが蓄積された段階で、正規の１シンボル番号の時間Ｔs内で２０４個の仮シンボル番号を高速に発生する。図１３に示すように、同期が確立された状態では正規のシンボル番号として０，１，２，・・・ｍ，ｍ＋１，・・・２０２，２０３が規定のタイミングで存在する。しかし同期が確立されていない状態では、どのタイミングがシンボル番号０なのかが不明である。そこでシンボル番号発生部４は任意の位置（タイミング）から仮シンボル番号として、＃０，＃１，＃２，・・＃ｎ、＃ｎ＋１、・・・＃２０２，＃２０３を時間Ｔs内で生成する。この番号＃は制御情報の仮信号配列順序を示すものである。制御情報抽出部１において、ＴＭＣＣ信号は１シンボルに１ビットの割合で抽出される。１フレームは２０４シンボルからなるが、シンボル番号発生部４は、０から２０３までの仮シンボル番号を順次高速に発生するか、０から２０３までのシンボル番号のうち、又は０から１０２までのように一部の仮シンボル番号を順次高速に発生してもよい。
【００５８】
信頼度算出部５は、制御情報蓄積部３に格納されたＴＭＣＣ信号を参照し、シンボル番号発生部４から出力された仮シンボル番号に対応した信頼度を算出する。この動作を具体的に説明する。ある制御データＡがａビットで構成され、正規のシンボル番号でｍからａビットに渡って挿入されているとする。信頼度算出部５は仮シンボル＃０からｍ番後のａビット分を抽出し、これらのビット位置にあるべき正規の制御データＡと照合する。次に仮シンボル＃１からｍ番後のａビットを抽出し、正規の制御データＡのビットと照合する。このような照合を仮シンボル＃０から順次繰り下げた仮シンボル番号・・・＃ｎ、＃ｎ＋１、・・・に対して行う。照合結果で一致する場合、制御データＡの信頼度として正数値Ｒを出力する。そして信頼度Ｒが得られる仮シンボル番号＃ｎの値を記憶しておく。このような照合を他の制御データに対しても行う。同一の制御データに対する信頼度は、仮シンボル番号の数（２０４個）だけ得られることになる。このような仮シンボル番号の値＃から得られる各制御データの信頼度の値を加算し、加算結果を記憶しておく。
【００５９】
最大値検出部６は、信頼度算出部５において算出された複数の信頼度の加算値、即ち順次繰り下げ又は繰り上げた仮シンボル番号における信頼度の加算値を比較し、最大となる加算値が得られる仮シンボルの繰り下げ数又は繰り上げ数を検出する。こうして最大値が得られる特定の仮シンボル番号を選択して出力する。なお、例えば仮シンボルの繰り下げにおいて、２０３を超えたものについては、０から順次に繰り下げが開始される。こうして決定された仮シンボル番号から、正規のシンボル番号が決定される。
【００６０】
図３は制御情報抽出部１の一例である制御情報抽出部１Ａのブロック構成図である。１シンボル遅延部１１は、ＤＢＰＳＫ変調されたＴＭＣＣキャリアを１シンボル期間遅延する。共役複素乗算部１２は、ＴＭＣＣキャリアと、１シンボル遅延部１１により１シンボル期間遅延されたＴＭＣＣキャリアとの複素共役乗算を行う。極性判定部１３は、複素共役乗算部１２から出力された信号の極性を判定し、０もしくは１のいずれかを出力する。
【００６１】
多数決判定部１４は、同一内容のデータが格納されるべきＴＭＣＣキャリアが複数組存在するとき、これら複数組のＴＭＣＣキャリアに対して、極性判定部１３から出力された０又は１の値のうち、いずれの値の出現頻度が高いかを多数決判定し、判定結果をＴＭＣＣ信号として出力する。
【００６２】
なお、制御情報抽出部１の他の一例として、図４に示す制御情報抽出部１Ｂを用いてもよい。１シンボル遅延部１１は、ＤＢＰＳＫ変調されたＴＭＣＣキャリアを、１シンボル期間遅延する。共役複素乗算部１２は、ＴＭＣＣキャリアと、１シンボル遅延部１１により１シンボル期間遅延されたＴＭＣＣキャリアとの複素共役乗算を行う。複素平均算出部１５は、同一内容のデータが格納されるべきＴＭＣＣキャリアが複数組存在するとき、複素共役乗算部１２から出力された信号の複素平均を算出する。極性判定部１６は、複素平均算出部１５により算出された複素平均信号の極性を判定し、判定結果をＴＭＣＣ信号として出力する。なお、上記いずれの構成においても、共役複素乗算部１２は、ＴＭＣＣキャリアに対して１シンボル遅延部１１により１シンボル期間遅延されたＴＭＣＣキャリアを用いて複素除算する構成としてもよい。
【００６３】
図５は信頼度算出部５のブロック構成図である。データ抽出部５１は、図２のシンボル番号発生部４から出力された仮シンボル番号に基づいて、制御情報蓄積部３に格納されたＴＭＣＣ信号から、特定のビット位置にある１個以上の制御データを抽出する。信頼度判定部５２は、データ抽出部５１において抽出された１個以上の制御データの信頼度をそれぞれ判定し、信頼度を数値的に出力する。加算器５３は、信頼度判定部５２から出力された１個以上の信頼度の値を加算する。以上の構成により、シンボル番号発生部４から出力された仮シンボル番号に対応した信頼度が算出される。
【００６４】
図６はデータ抽出部５１のブロック構成図である。同期信号抽出部５０１は、シンボル番号発生部４から出力された仮シンボル番号に基づいて、制御情報蓄積部３に格納されたＴＭＣＣ信号から、ビット位置Ｂ１〜Ｂ１６にある１６ビットの同期信号を抽出する。
【００６５】
セグメント形式識別抽出部５０２は、シンボル番号発生部４から出力された仮シンボル番号に基づいて、制御情報蓄積部３に格納されたＴＭＣＣ信号から、ビット位置Ｂ１７〜Ｂ１９にある３ビットのセグメント形式識別を抽出する。
【００６６】
システム識別抽出部５０３は、シンボル番号発生部４から出力された仮シンボル番号に基づいて、制御情報蓄積部３に格納されたＴＭＣＣ信号から、ビット位置Ｂ２０〜Ｂ２１にある２ビットのシステム識別を抽出する。
【００６７】
部分受信フラグ抽出部５０４は、シンボル番号発生部４から出力された仮シンボル番号に基づいて、制御情報蓄積部３に格納されたＴＭＣＣ信号から、ビット位置Ｂ２７にある１ビットのカレント情報の部分受信フラグを抽出する。
【００６８】
キャリア変調方式（Ａ階層）抽出部５０５は、シンボル番号発生部４から出力された仮シンボル番号に基づいて、制御情報蓄積部３に格納されたＴＭＣＣ信号から、ビット位置Ｂ２８〜Ｂ３０にある３ビットのカレント情報におけるＡ階層のキャリア変調方式を抽出する。
【００６９】
畳込み符号化率（Ａ階層）抽出部５０６は、シンボル番号発生部４から出力された仮シンボル番号に基づいて、制御情報蓄積部３に格納されたＴＭＣＣ信号から、ビット位置Ｂ３１〜Ｂ３３にある３ビットのカレント情報におけるＡ階層の畳込み符号化率を抽出する。
【００７０】
インターリーブ長（Ａ階層）抽出部５０７は、シンボル番号発生部４から出力された仮シンボル番号に基づいて、制御情報蓄積部３に格納されたＴＭＣＣ信号から、ビット位置Ｂ３４〜Ｂ３６にある３ビットのカレント情報におけるＡ階層のインターリーブ長を抽出する。
【００７１】
セグメント数（Ａ階層）抽出部５０８は、シンボル番号発生部４から出力された仮シンボル番号に基づいて、制御情報蓄積部３に格納されたＴＭＣＣ信号から、ビット位置Ｂ３７〜Ｂ４０にある４ビットのカレント情報におけるＡ階層のセグメント数を抽出する。
【００７２】
キャリア変調方式（Ｂ階層）抽出部５０９は、シンボル番号発生部４から出力された仮シンボル番号に基づいて、制御情報蓄積部３に格納されたＴＭＣＣ信号から、ビット位置Ｂ４１〜Ｂ４３にある３ビットのカレント情報におけるＢ階層のキャリア変調方式を抽出する。
【００７３】
畳込み符号化率（Ｂ階層）抽出部５１０は、シンボル番号発生部４から出力された仮シンボル番号に基づいて、制御情報蓄積部３に格納されたＴＭＣＣ信号から、ビット位置Ｂ４４〜Ｂ４６にある３ビットのカレント情報におけるＢ階層の畳込み符号化率を抽出する。
【００７４】
インターリーブ長（Ｂ階層）抽出部５１１は、シンボル番号発生部４から出力された仮シンボル番号に基づいて、制御情報蓄積部３に格納されたＴＭＣＣ信号から、ビット位置Ｂ４７〜Ｂ４９にある３ビットのカレント情報におけるＢ階層のインターリーブ長を抽出する。
【００７５】
セグメント数（Ｂ階層）抽出部５１２は、シンボル番号発生部４から出力された仮シンボル番号に基づいて、制御情報蓄積部３に格納されたＴＭＣＣ信号から、ビット位置Ｂ５０〜Ｂ５３にある４ビットのカレント情報におけるＢ階層のセグメント数を抽出する。
【００７６】
キャリア変調方式（Ｃ階層）抽出部５１３は、シンボル番号発生部４から出力された仮シンボル番号に基づいて、制御情報蓄積部３に格納されたＴＭＣＣ信号から、ビット位置Ｂ５４〜Ｂ５６にある３ビットのカレント情報におけるＣ階層のキャリア変調方式を抽出する。
【００７７】
畳込み符号化率（Ｃ階層）抽出部５１４は、シンボル番号発生部４から出力された仮シンボル番号に基づいて、制御情報蓄積部３に格納されたＴＭＣＣ信号から、ビット位置Ｂ５７〜Ｂ５９にある３ビットのカレント情報におけるＣ階層の畳込み符号化率を抽出する。
【００７８】
インターリーブ長（Ｃ階層）抽出部５１５は、シンボル番号発生部４から出力された仮シンボル番号に基づいて、制御情報蓄積部３に格納されたＴＭＣＣ信号から、ビット位置Ｂ６０〜Ｂ６２にある３ビットのカレント情報におけるＣ階層のインターリーブ長を抽出する。
【００７９】
セグメント数（Ｃ階層）抽出部５１６は、シンボル番号発生部４から出力された仮シンボル番号に基づいて、制御情報蓄積部３に格納されたＴＭＣＣ信号から、ビット位置Ｂ６３〜Ｂ６６にある４ビットのカレント情報におけるＣ階層のセグメント数を抽出する。
【００８０】
リザーブビット抽出部５１７は、シンボル番号発生部４から出力された仮シンボル番号に基づいて、制御情報蓄積部３に格納されたＴＭＣＣ信号から、ビット位置Ｂ１１０〜Ｂ１２１にある１２ビットのリザーブビットを抽出する。
【００８１】
なお、データ抽出部５１は、同期信号抽出部５０１〜リザーブビット抽出部５１７の１７個のブロックのうち、一部を持つ構成としてもよい。データ抽出部５１は、同期信号抽出部５０１〜リザーブビット抽出部５１７の１７個の構成ブロック以外にも、シンボル番号発生部４から出力された仮シンボル番号に基づいて、制御情報蓄積部３に格納されたＴＭＣＣ信号から、特定のビット位置にあるデータを抽出するブロックを持つ構成としてもよい。例えば、シンボル番号発生部４から出力された仮シンボル番号に基づいて、制御情報蓄積部３に格納されたＴＭＣＣ信号から、ビット位置Ｂ１０７〜Ｂ１０９にある３ビットの連結送信位相補正量を抽出する連結送信位相補正量抽出部などが考えられる。なお、データ抽出部５１を構成する同期信号抽出部５０１〜リザーブビット抽出部５１７の各ブロックは、フレーム同期の処理開始からの時間が１フレームに満たず、制御情報蓄積部３に格納されたＴＭＣＣ信号の蓄積量が１フレーム分（２０４ビット）に満たない場合には、データが抽出できないことを示す信号を出力するようにしてもよい。
【００８２】
図７及び図８は信頼度判定部５２の構成を示すブロック図である。図７は信頼度判定部５２−１のブロック構成を示し、図８は信頼度判定部５２−２のブロック構成を示す図である。同期信号判定部５２１は、同期信号抽出部５０１により抽出された同期信号を、ｗ０＝００１１０１０１１１１０１１１０及びｗ１＝１１００１０１００００１０００１と比較し、いずれかと完全に一致した場合には所定の数値Ｎ０１０を、そうでない場合にはＮ０１０より小さい所定の数値Ｎ０１１を信頼度として出力する。なお、同期信号判定部５２１は、同期信号抽出部５０１により抽出された同期信号を、ｗ０＝００１１０１０１１１１０１１１０及びｗ１＝１１００１０１００００１０００１と比較し、それぞれ一致したビットの数を比較し、一致したビットの数が多い方について、その一致したビットの数に応じて、所定の数値を信頼度として出力する構成としてもよい。このとき、一致したビットの数が多いほど、信頼度として出力する数値は大きいものとする。
【００８３】
なお、同期信号判定部５２１は、上記の構成に加えて、同期信号抽出部５０１により抽出された同期信号が、ｗ０もしくはｗ１と完全に一致した場合に、どの受信シンボルタイミングでｗ０もしくはｗ１のいずれと一致したかの情報を蓄積・保持し、その受信シンボルタイミングからちょうど１フレーム後において、同期信号抽出部５０１により抽出された同期信号が、１フレーム前の同期信号のビット反転となっているかどうかを判定し、反転の場合は所定の数値Ｎ０１２を、そうでない場合にはＮ０１２より小さい所定の数値Ｎ０１３を信頼度として出力する構成としてもよい。また、上記構成において出力される信頼度にＮ０１２もしくはＮ０１３を加算したものを信頼度として出力する構成としてもよい。
【００８４】
セグメント形式識別判定部５２２は、セグメント形式識別抽出部５０２により抽出されたセグメント形式識別を、「０００」及び「１１１」と比較し、いずれかと完全に一致した場合には所定の数値Ｎ０２０を、そうでない場合にはＮ０２０より小さい所定の数値Ｎ０２１を信頼度として出力する。
【００８５】
システム識別判定部５２３は、システム識別抽出部５０３により抽出されたシステム識別を、「００」及び「０１」と比較し、いずれかと完全に一致した場合には所定の数値Ｎ０３０を、そうでない場合にはＮ０３０より小さい所定の数値Ｎ０３１を信頼度として出力する。なお、システム識別判定部５２３は、本発明のＯＦＤＭ受信装置が地上デジタルテレビジョン放送方式もしくは地上デジタル音声放送方式のいずれか一方のみを受信するとした場合には、システム識別抽出部５０３により抽出されたシステム識別を、「００」もしくは「０１」のいずれか一方のみと比較し、完全に一致した場合には所定の数値Ｎ０３２を、そうでない場合にはＮ０３２より小さい所定の数値Ｎ０３３を信頼度として出力する構成としてもよい。
【００８６】
部分受信フラグ判定部５２４は、部分受信フラグ抽出部５０４により抽出された部分受信フラグが「１」であるとき、セグメント数（Ａ階層）抽出部５０８により抽出されたＡ階層のセグメント数を「０００１」と比較し、完全に一致した場合には所定の数値Ｎ０４０を、そうでない場合にはＮ０４０より小さい所定の数値Ｎ０４１を信頼度として出力し、部分受信フラグ抽出部５０４により抽出された部分受信フラグが「０」であるとき、所定の数値Ｎ０４２を信頼度として出力する。
【００８７】
キャリア変調方式（Ａ階層）判定部５２５は、キャリア変調方式（Ａ階層）抽出部５０５により抽出されたＡ階層のキャリア変調方式を、「０００」、「００１」、「０１０」、「０１１」と比較し、いずれかと完全に一致した場合には所定の数値Ｎ０５０を、そうでない場合にはＮ０５０より小さい所定の数値Ｎ０５１を信頼度として出力する。
【００８８】
畳込み符号化率（Ａ階層）判定部５２６は、畳込み符号化率（Ａ階層）抽出部５０６により抽出されたＡ階層の畳込み符号化率を、「０００」、「００１」、「０１０」、「０１１」、「１００」と比較し、いずれかと完全に一致した場合には所定の数値Ｎ０６０を、そうでない場合にはＮ０６０より小さい所定の数値Ｎ０６１を信頼度として出力する。
【００８９】
インターリーブ長（Ａ階層）判定部５２７は、インターリーブ長（Ａ階層）抽出部５０７により抽出されたＡ階層のインターリーブ長を、「０００」、「００１」、「０１０」、「０１１」と比較し、いずれかと完全に一致した場合には所定の数値Ｎ０７０を、そうでない場合にはＮ０７０より小さい所定の数値Ｎ０７１を信頼度として出力する。
【００９０】
なお、インターリーブ長（Ａ階層）判定部５２７は、システム識別抽出部５０３により抽出されたシステム識別が「００」であるとき、インターリーブ長（Ａ階層）抽出部５０７により抽出されたＡ階層のインターリーブ長を、「０００」、「００１」、「０１０」、「０１１」と比較し、いずれかと完全に一致した場合には所定の数値Ｎ０７０を、そうでない場合にはＮ０７０より小さい所定の数値Ｎ０７１を信頼度として出力、システム識別が「０１」であるときは、Ａ階層のインターリーブ長を、「０００」、「００１」、「０１０」、「０１１」、「１００」と比較し、いずれかと完全に一致した場合には所定の数値Ｎ０７２を、そうでない場合にはＮ０７２より小さい所定の数値Ｎ０７３を信頼度として出力し、更に、システム識別が「００」、「０１」以外であるとき、所定の数値Ｎ０７４を信頼度として出力する構成としてもよい。
【００９１】
セグメント数（Ａ階層）判定部５２８は、セグメント数（Ａ階層）抽出部５０８により抽出されたＡ階層のセグメント数を、「０００１」、「００１０」、「００１１」、「０１００」、「０１０１」、「０１１０」、「０１１１」、「１０００」、「１００１」、「１０１０」、「１０１１」、「１１００」、「１１０１」と比較し、いずれかと完全に一致した場合には所定の数値Ｎ０８０を、そうでない場合にはＮ０８０より小さい所定の数値Ｎ０８１を信頼度として出力する。
【００９２】
なお、セグメント数（Ａ階層）判定部５２８は、システム識別抽出部５０３により抽出されたシステム識別が「００」であるとき、セグメント数（Ａ階層）抽出部５０８により抽出されたＡ階層のセグメント数を、「０００１」、「００１０」「００１１」、「０１００」、「０１０１」、「０１１０」、「０１１１」、「１０００」、「１００１」、「１０１０」、「１０１１」、「１１００」、「１１０１」と比較し、いずれかと完全に一致した場合には所定の数値Ｎ０８０を、そうでない場合にはＮ０８０より小さい所定の数値Ｎ０８１を信頼度として出力し、システム識別が「０１」であるとき、Ａ階層のセグメント数を、「０００１」と比較し、完全に一致した場合には所定の数値Ｎ０８２を、そうでない場合にはＮ０８２より小さい所定の数値Ｎ０８３を信頼度として出力し、システム識別が「００」、「０１」以外であるとき、所定の数値Ｎ０８４を信頼度として出力する構成としてもよい。
【００９３】
図８に示すキャリア変調方式（Ｂ階層）判定部５２９は、セグメント数（Ａ階層）抽出部５０８により抽出されたＡ階層のセグメント数が「０００１」、「００１０」、「００１１」、「０１００」、「０１０１」、「０１１０」、「０１１１」、「１０００」、「１００１」、「１０１０」、「１０１１」、「１１００」のいずれかであるとき、キャリア変調方式（Ｂ階層）抽出部５０９により抽出されたＢ階層のキャリア変調方式を、「０００」「００１」「０１０」「０１１」と比較し、いずれかと完全に一致した場合には所定の数値Ｎ０９０を、そうでない場合にはＮ０９０より小さい所定の数値Ｎ０９１を信頼度として出力し、Ａ階層のセグメント数が「１１０１」であるとき、Ｂ階層のキャリア変調方式を「１１１」と比較し、完全に一致した場合には所定の数値Ｎ０９２を、そうでない場合にはＮ０９２より小さい所定の数値Ｎ０９３を信頼度として出力し、Ａ階層のセグメント数が「００００」、「１１１０」、「１１１１」のいずれかであるとき、所定の数値Ｎ０９４を信頼度として出力する。
【００９４】
なお、キャリア変調方式（Ｂ階層）判定部５２９は、上記構成に加えて、システム識別抽出部５０３により抽出されたシステム識別が「０１」であり、かつ部分受信フラグ抽出部５０４により抽出された部分受信フラグが「１」であり、かつセグメント数（Ａ階層）抽出部５０８により抽出されたＡ階層のセグメント数が「０００１」であるとき、キャリア変調方式（Ｂ階層）抽出部５０９により抽出されたＢ階層のキャリア変調方式を、「０００」、「００１」、「０１０」、「０１１」と比較し、いずれかと完全に一致した場合には所定の数値Ｎ０９５を、そうでない場合にはＮ０９５より小さい所定の数値Ｎ０９６を信頼度として出力し、システム識別が「０１」であり、かつ部分受信フラグが「０」であるか、システム識別が「０１」であり、かつＡ階層のセグメント数が「０００１」以外であるとき、Ｂ階層のキャリア変調方式を「１１１」と比較し、完全に一致した場合には所定の数値Ｎ０９７を、そうでない場合にはＮ０９７より小さい所定の数値Ｎ０９８を信頼度として出力する構成としてもよい。
【００９５】
畳込み符号化率（Ｂ階層）判定部５３０は、セグメント数（Ａ階層）抽出部５０８により抽出されたＡ階層のセグメント数が「０００１」、「００１０」、「００１１」、「０１００」、「０１０１」、「０１１０」、「０１１１」、「１０００」、「１００１」、「１０１０」、「１０１１」、「１１００」のいずれかであるとき、畳込み符号化率（Ｂ階層）抽出部５１０により抽出されたＢ階層の畳込み符号化率を、「０００」、「００１」、「０１０」、「０１１」、「１００」と比較し、いずれかと完全に一致した場合には所定の数値Ｎ１００を、そうでない場合にはＮ１００より小さい所定の数値Ｎ１０１を信頼度として出力し、Ａ階層のセグメント数が「１１０１」であるとき、Ｂ階層の畳込み符号化率を「１１１」と比較し、完全に一致した場合には所定の数値Ｎ１０２を、そうでない場合にはＮ１０２より小さい所定の数値Ｎ１０３を信頼度として出力し、Ａ階層のセグメント数が「００００」、「１１１０」、「１１１１」のいずれかであるとき、所定の数値Ｎ１０４を信頼度として出力する。
【００９６】
なお、畳込み符号化率（Ｂ階層）判定部５３０は、上記構成に加えて、システム識別抽出部５０３により抽出されたシステム識別が「０１」であり、かつ部分受信フラグ抽出部５０４により抽出された部分受信フラグが「１」であり、かつセグメント数（Ａ階層）抽出部５０８により抽出されたＡ階層のセグメント数が「０００１」であるとき、畳込み符号化率（Ｂ階層）抽出部５１０により抽出されたＢ階層の畳込み符号化率を、「０００」、「００１」、「０１０」、「０１１」、「１００」と比較し、いずれかと完全に一致した場合には所定の数値Ｎ１０５を、そうでない場合にはＮ１０５より小さい所定の数値Ｎ１０６を信頼度として出力し、システム識別が「０１」であり、かつ部分受信フラグが「０」であるか、システム識別が「０１」であり、かつＡ階層のセグメント数が「０００１」以外であるとき、Ｂ階層の畳込み符号化率を「１１１」と比較し、完全に一致した場合には所定の数値Ｎ１０７を、そうでない場合にはＮ１０７より小さい所定の数値Ｎ１０８を信頼度として出力する構成としてもよい。
【００９７】
インターリーブ長（Ｂ階層）判定部５３１は、セグメント数（Ａ階層）抽出部５０８により抽出されたＡ階層のセグメント数が「０００１」、「００１０」、「００１１」、「０１００」、「０１０１」、「０１１０」、「０１１１」、「１０００」、「１００１」、「１０１０」、「１０１１」、「１１００」のいずれかであるとき、インターリーブ長（Ｂ階層）抽出部５１１により抽出されたＢ階層のインターリーブ長を、「０００」、「００１」、「０１０」、「０１１」と比較し、いずれかと完全に一致した場合には所定の数値Ｎ１１０を、そうでない場合にはＮ１１０より小さい所定の数値Ｎ１１１を信頼度として出力し、Ａ階層のセグメント数が「１１０１」であるとき、Ｂ階層のインターリーブ長を「１１１」と比較し、完全に一致した場合には所定の数値Ｎ１１２を、そうでない場合にはＮ１１２より小さい所定の数値Ｎ１１３を信頼度として出力し、Ａ階層のセグメント数が「００００」、「１１１０」、「１１１１」のいずれかであるとき、所定の数値Ｎ１１４を信頼度として出力する。
【００９８】
なお、インターリーブ長（Ｂ階層）判定部５３１は、上記構成に加えて、システム識別抽出部５０３により抽出されたシステム識別が「０１」であり、かつ部分受信フラグ抽出部５０４により抽出された部分受信フラグが「１」であり、かつセグメント数（Ａ階層）抽出部５０８により抽出されたＡ階層のセグメント数が「０００１」であるとき、インターリーブ長（Ｂ階層）抽出部５１１により抽出されたＢ階層のインターリーブ長を、「０００」、「００１」、「０１０」、「０１１」、「１００」と比較し、いずれかと完全に一致した場合には所定の数値Ｎ１１５を、そうでない場合にはＮ１１５より小さい所定の数値Ｎ１１６を信頼度として出力し、システム識別が「０１」であり、かつ部分受信フラグが「０」であるか、システム識別が「０１」であり、かつＡ階層のセグメント数が「０００１」以外であるとき、Ｂ階層のインターリーブ長を「１１１」と比較し、完全に一致した場合には所定の数値Ｎ１１７を、そうでない場合にはＮ１１７より小さい所定の数値Ｎ１１８を信頼度として出力する構成としてもよい。
【００９９】
セグメント数（Ｂ階層）判定部５３２は、セグメント数（Ａ階層）抽出部５０８により抽出されたＡ階層のセグメント数が「０００１」、「００１０」、「００１１」、「０１００」、「０１０１」、「０１１０」、「０１１１」、「１０００」、「１００１」、「１０１０」、「１０１１」、「１１００」のいずれかであるとき、セグメント数（Ｂ階層）抽出部５１２により抽出されたＢ階層のセグメント数が「００００」以外であり、かつＡ階層のセグメント数と、Ｂ階層のセグメント数とを数値的に加算し、その結果が「１３」以下である場合には所定の数値Ｎ１２０を、そうでない場合にはＮ１２０より小さい所定の数値Ｎ１２１を信頼度として出力し、Ａ階層のセグメント数が「１１０１」であるとき、Ｂ階層のセグメント数を「１１１１」と比較し、完全に一致した場合には所定の数値Ｎ１２２を、そうでない場合にはＮ１２２より小さい所定の数値Ｎ１２３を信頼度として出力し、Ａ階層のセグメント数が「００００」、「１１１０」、「１１１１」のいずれかであるとき、所定の数値Ｎ１２４を信頼度として出力する。
【０１００】
なお、セグメント数（Ｂ階層）判定部５３２は、上記構成に加えて、システム識別抽出部５０３により抽出されたシステム識別が「０１」であり、かつ部分受信フラグ抽出部５０４により抽出された部分受信フラグが「１」であり、かつセグメント数（Ａ階層）抽出部５０８により抽出されたＡ階層のセグメント数が「０００１」であるとき、セグメント数（Ｂ階層）抽出部５１２により抽出されたＢ階層のセグメント数を「００１０」と比較し、完全に一致した場合には所定の数値Ｎ１２５を、そうでない場合にはＮ１２５より小さい所定の数値Ｎ１２６を信頼度として出力し、システム識別が「０１」であり、かつ部分受信フラグが「０」であるか、システム識別が「０１」であり、かつＡ階層のセグメント数が「０００１」以外であるとき、Ｂ階層のセグメント数を「１１１１」と比較し、完全に一致した場合には所定の数値Ｎ１２７を、そうでない場合にはＮ１２７より小さい所定の数値Ｎ１２８を信頼度として出力する構成としてもよい。
【０１０１】
キャリア変調方式（Ｃ階層）判定部５３３は、セグメント数（Ａ階層）抽出部５０８により抽出されたＡ階層のセグメント数が「００００」以外であり、かつセグメント数（Ｂ階層）抽出部５１２により抽出されたＢ階層のセグメント数が「００００」以外であり、かつＡ階層のセグメント数とＢ階層のセグメント数とを数値的に加算した結果が「１２」以下であるとき、キャリア変調方式（Ｃ階層）抽出部５１３により抽出されたＣ階層のキャリア変調方式を、「０００」、「００１」、「０１０」、「０１１」と比較し、いずれかと完全に一致した場合には所定の数値Ｎ１３０を、そうでない場合にはＮ１３０より小さい所定の数値Ｎ１３１を信頼度として出力し、Ａ階層のセグメント数が「００００」以外であり、かつＢ階層のセグメント数が「００００」以外であり、かつＡ階層のセグメント数とＢ階層のセグメント数とを数値的に加算した結果が「１３」であるとき、Ｃ階層のキャリア変調方式を「１１１」と比較し、完全に一致した場合には所定の数値Ｎ１３２を、そうでない場合にはＮ１３２より小さい所定の数値Ｎ１３３を信頼度として出力し、Ａ階層のセグメント数が「００００」であるか、Ｂ階層のセグメント数が「００００」であるか、Ａ階層のセグメント数とＢ階層のセグメント数とを数値的に加算した結果が「１４」以上であるとき、所定の数値Ｎ１３４を信頼度として出力する。
【０１０２】
なお、キャリア変調方式（Ｃ階層）判定部５３３は、上記構成に加えて、システム識別抽出部５０３により抽出されたシステム識別が「０１」であるとき、キャリア変調方式（Ｃ階層）抽出部５１３により抽出されたＣ階層のキャリア変調方式を、「１１１」と比較し、完全に一致した場合には所定の数値Ｎ１３５を、そうでない場合にはＮ１３５より小さい所定の数値Ｎ１３６を信頼度として出力する構成としてもよい。
【０１０３】
畳込み符号化率（Ｃ階層）判定部５３４は、セグメント数（Ａ階層）抽出部５０８により抽出されたＡ階層のセグメント数が「００００」以外であり、かつセグメント数（Ｂ階層）抽出部５１２により抽出されたＢ階層のセグメント数が「００００」以外であり、かつＡ階層のセグメント数とＢ階層のセグメント数とを数値的に加算した結果が「１２」以下であるとき、畳込み符号化率（Ｃ階層）抽出部５１４により抽出されたＣ階層の畳込み符号化率を、「０００」、「００１」、「０１０」、「０１１」、「１００」と比較し、いずれかと完全に一致した場合には所定の数値Ｎ１４０を、そうでない場合にはＮ１４０より小さい所定の数値Ｎ１４１を信頼度として出力し、Ａ階層のセグメント数が「００００」以外であり、かつＢ階層のセグメント数が「００００」以外であり、かつＡ階層のセグメント数とＢ階層のセグメント数とを数値的に加算した結果が「１３」であるとき、Ｃ階層の畳込み符号化率を「１１１」と比較し、完全に一致した場合には所定の数値Ｎ１４２を、そうでない場合にはＮ１４２より小さい所定の数値Ｎ１４３を信頼度として出力し、Ａ階層のセグメント数が「００００」であるか、Ｂ階層のセグメント数が「００００」であるか、Ａ階層のセグメント数とＢ階層のセグメント数とを数値的に加算した結果が「１４」以上であるとき、所定の数値Ｎ１４４を信頼度として出力する。
【０１０４】
なお、畳込み符号化率（Ｃ階層）判定部５３４は、上記構成に加えて、システム識別抽出部５０３により抽出されたシステム識別が「０１」であるとき、畳込み符号化率（Ｃ階層）抽出部５１４により抽出されたＣ階層の畳込み符号化率を「１１１」と比較し、完全に一致した場合には所定の数値Ｎ１４５を、そうでない場合にはＮ１４５より小さい所定の数値Ｎ１４６を信頼度として出力する構成としてもよい。
【０１０５】
インターリーブ長（Ｃ階層）判定部５３５は、セグメント数（Ａ階層）抽出部５０８により抽出されたＡ階層のセグメント数が「００００」以外であり、かつセグメント数（Ｂ階層）抽出部５１２により抽出されたＢ階層のセグメント数が「００００」以外であり、かつＡ階層のセグメント数と、Ｂ階層のセグメント数とを数値的に加算した結果が「１３」以下であるとき、インターリーブ長（Ｃ階層）抽出部５１５により抽出されたＣ階層のインターリーブ長を、「０００」、「００１」、「０１０」、「０１１」と比較し、いずれかと完全に一致した場合には所定の数値Ｎ１５０を、そうでない場合にはＮ１５０より小さい所定の数値Ｎ１５１を信頼度として出力し、Ａ階層のセグメント数が「００００」以外であり、かつＢ階層のセグメント数が「００００」以外であり、かつＡ階層のセグメント数とＢ階層のセグメント数とを数値的に加算した結果が「１３」であるとき、Ｃ階層のインターリーブ長を「１１１」と比較し、完全に一致した場合には所定の数値Ｎ１５２を、そうでない場合にはＮ１５２より小さい所定の数値Ｎ１５３を信頼度として出力し、Ａ階層のセグメント数が「００００」であるか、Ｂ階層のセグメント数が「００００」であるか、Ａ階層のセグメント数とＢ階層のセグメント数とを数値的に加算した結果が「１４」以上であるとき、所定の数値Ｎ１５４を信頼度として出力する。
【０１０６】
なお、インターリーブ長（Ｃ階層）判定部５３５は、上記構成に加えて、システム識別抽出部５０３により抽出されたシステム識別が「０１」であるとき、インターリーブ長（Ｃ階層）抽出部５１５により抽出されたＣ階層のインターリーブ長を「１１１」と比較し、完全に一致した場合には所定の数値Ｎ１５５を、そうでない場合にはＮ１５５より小さい所定の数値Ｎ１５６を信頼度として出力する構成としてもよい。
【０１０７】
セグメント数（Ｃ階層）判定部５３６は、セグメント数（Ａ階層）抽出部５０８により抽出されたＡ階層のセグメント数が「００００」以外であり、かつセグメント数（Ｂ階層）抽出部５１２により抽出されたＢ階層のセグメント数が「００００」以外であり、かつＡ階層のセグメント数とＢ階層のセグメント数とを数値的に加算した結果が「１３」以下であるとき、Ａ階層のセグメント数とＢ階層のセグメント数とセグメント数（Ｃ階層）抽出部５１６により抽出されたＣ階層のセグメント数とを数値的に加算した結果が「１３」と一致した場合には所定の数値Ｎ１６０を、そうでない場合にはＮ１６０より小さい所定の数値Ｎ１６１を信頼度として出力し、Ａ階層のセグメント数が「００００」以外であり、かつＢ階層のセグメント数が「００００」以外であり、かつＡ階層のセグメント数とＢ階層のセグメント数とを数値的に加算した結果が「１３」であるとき、Ｃ階層のセグメント数を「１１１１」と比較し、完全に一致した場合には所定の数値Ｎ１６２を、そうでない場合にはＮ１６２より小さい所定の数値Ｎ１６３を信頼度として出力し、Ａ階層のセグメント数が「００００」であるか、Ｂ階層のセグメント数が「００００」であるか、Ａ階層のセグメント数とＢ階層のセグメント数とを数値的に加算した結果が「１４」以上であるとき、所定の数値Ｎ１６４を信頼度として出力する。
【０１０８】
なお、セグメント数（Ｃ階層）判定部５３６は、上記構成に加えて、システム識別抽出部５０３により抽出されたシステム識別が「０１」であるとき、セグメント数（Ｃ階層）抽出部５１６により抽出されたＣ階層のセグメント数を「１１１１」と比較し、完全に一致した場合には所定の数値Ｎ１６５を、そうでない場合にはＮ１６５より小さい所定の数値Ｎ１６６を信頼度として出力する構成としてもよい。
【０１０９】
リザーブビット判定部５３７は、リザーブビット抽出部５１７により抽出されたリザーブビットを「１１１１１１１１１１１１」と比較し、完全に一致した場合には所定の数値Ｎ１７０を、そうでない場合にはＮ１７０より小さい所定の数値Ｎ１７１を信頼度として出力する。なお、リザーブビット判定部５３７は、リザーブビット抽出部５１７により抽出されたリザーブビットを「１１１１１１１１１１１１」と比較し、一致したビットの数に応じて、所定の数値を信頼度として出力する構成としてもよい。このとき、一致したビットの数が多いほど、信頼度として出力する数値は大きいものとする。
【０１１０】
なお、図７、図８に示す信頼度判定部５２は、同期信号判定部５２１〜リザーブビット判定部５３７の１７個のブロックのうち、一部を持つ構成としてもよい。なお、信頼度判定部５２は、同期信号抽出部５０１〜リザーブビット抽出部５１７の１７個の構成ブロック以外にも、データ抽出部５１において抽出されたデータの信頼度をそれぞれ判定し、数値的に出力するブロックを持つ構成としてもよい。例えば、データ抽出部５１において、伝送パラメータ切り替え指標及びネクスト情報の各種伝送パラメータが抽出されたとき、伝送パラメータ切り替え指標が「１１１１」でない場合に、ネクスト情報の各種伝送パラメータの信頼度を判定するブロックなどが考えられる。
【０１１１】
前述した従来のフレーム同期検出方法では、同期信号以外のビット位置に同期信号と同一のビット配列の信号が存在した場合のことを想定して、同期信号を２度検出する必要があった。このため、結果としてフレーム同期を確立するために平均で１．５フレーム、最大で２フレームの時間を必要としていた。本実施の形態によれば、同期信号以外のビット位置に同期信号と同一のビット配列の信号が存在した場合にも、そのビット位置を同期信号のビット位置と仮定して、同期信号以外のＴＭＣＣ信号の信頼度も算出するようにしている。このとき、同期信号以外のＴＭＣＣ信号もまた本来のビット位置とは異なるので、算出される信頼度は、正しいビット位置で算出した場合に比べて小さいものとなる。その結果、同期信号以外のビット位置に同期信号と同一のビット配列が存在する際に生じる誤検出を、いち早く排除することができる。
【０１１２】
また従来のフレーム同期検出方法では、同期信号のみを検出の対象としていた。このため、受信開始のタイミングにより、検出処理が同期信号直後のシンボルから開始された場合に、検出時間が最大で２フレームの期間を必要としていた。本実施の形態によれば、検出処理が同期信号直後のシンボルから開始された場合にも、同期信号以外のＴＭＣＣ信号に対して信頼度を算出しているので、正しいビット位置で算出される信頼度は大きいものとなる。特に、ＴＭＣＣ信号のビット配列として、同期信号の直後に信頼度算出の対象となる制御データが配置されているので、当該ＴＭＣＣ信号に対応するシンボル区間におけるフレーム同期の確立をいち早く行うことができる。
【０１１３】
以上の実施の形態１によれば、同期信号及び同期信号以外のＴＭＣＣ信号を基に信頼度を算出することで、同期信号を２度検出することなく、誤検出の可能性も少ない速やかなフレーム同期の確立が可能となる。
【０１１４】
（実施の形態２）
次に本発明の実施の形態２におけるフレーム同期検出部について説明する。なお、実施の形態１と同一の信号処理を行う構成要素については、同一の符号を付し、それらの説明を省略する。
【０１１５】
図９は実施の形態２におけるフレーム同期検出部９０９Ｂのブロック構成図である。パイロット周期検出部７は、図１のＦＦＴ部９０５から出力される信号に対し、パイロット信号の配置されている周期を検出する。ここでは、国内地上デジタル放送方式におけるパイロット信号として、ＳＰ信号を用いるものとする。シンボル番号発生部４は、パイロット周期検出部７により検出されたＳＰ信号の周期に基づき、０から２０３までのシンボル番号のうち、４で割った場合に余りが０となるシンボル番号の群（０、４、８、…）、４で割った場合に余りが１となるシンボル番号の群（１、５、９、…）、４で割った場合に余りが２となるシンボル番号の群（２、６、１０、…）、４で割った場合に余りが３となるシンボル番号の群（３、７、１１、…）のいずれかを、もしくはその群のいずれかのうち一部を順次発生する。
【０１１６】
図１０はパイロット周期検出部７のブロック構成図である。４シンボル遅延部７１は、図１のＦＦＴ部９０５から出力される信号に対し、ＳＰ信号が配置されているキャリアを４シンボル期間遅延させる。複素除算部７２は、ＦＦＴ部９０５から出力される信号に対し、４シンボル遅延部７１により４シンボル期間遅延された信号で複素除算を行う。なお、複素除算部７２は、ＦＦＴ部９０５から出力される信号に対し、４シンボル遅延部７１により４シンボル期間遅延された信号で共役複素乗算を行った後、信号の振幅を正規化する構成としてもよい。群選択部７３は、複素除算部７２から出力された信号をＡ群、Ｂ群、Ｃ群、Ｄ群の４つの信号群に分割選択する。
【０１１７】
累積部７４Ａ、７４Ｂ、７４Ｃ、７４Ｄは、群選択部７３によって選択されたＡ群、Ｂ群、Ｃ群、Ｄ群の信号をそれぞれ累積加算する。電力算出部７５Ａ、７５Ｂ、７５Ｃ、７５Ｄはそれぞれ累積部７４Ａ、７４Ｂ、７４Ｃ、７４Ｄにより累積された信号からその電力を算出する。比較判定部７６は、電力算出部７５Ａ、７５Ｂ、７５Ｃ、７５Ｄにより算出された電力を比較し、最大値の群を検出し、その結果を出力する。ＳＰタイミング発生部７７は、比較判定部７６の結果に基づいて、ＳＰ信号の周期を示すＳＰタイミング信号を発生する。
【０１１８】
実施の形態２の方法によれば、実施の形態１に比較して、全体の一部にあたる確度の高いシンボル番号の群に対してのみ信頼度算出を行うこととなり、検出性能を大きく落とすことなく、処理時間や消費電力、回路規模を削減することができる。上記の動作例では、ＳＰ信号を用いる場合、全体の１／４の数のシンボルに対して信頼度算出を行えばよいことになる。
【０１１９】
（実施の形態３）
次に本発明の実施の形態３におけるフレーム同期検出部について説明する。なお、実施の形態１と同一の信号処理を行う構成要素については、同一の符号を付し、それらの説明を省略する。
【０１２０】
図１１は、実施の形態３におけるフレーム同期検出部９０９Ｃのブロック構成図である。制御情報復号部８は、シンボル番号発生部４から発生される仮シンボル番号に基づき、制御情報蓄積部３に蓄積された制御情報に対して誤り訂正復号を行う。ここでは、制御情報蓄積部３に蓄積されたＴＭＣＣ信号のうちＴＭＣＣ情報及びパリティビットにあたるＢ２０〜Ｂ２０３の１８４ビットを対象として誤り訂正復号を行うものとする。
【０１２１】
復号制御情報蓄積部９は、制御情報復号部８により誤り訂正復号された制御情報を蓄積する。ここでは、制御情報蓄積部３に蓄積されたＴＭＣＣ信号のうち、制御情報復号部８による誤り訂正復号の対象とならなかったＢ０〜Ｂ１９の２０ビットと、制御情報復号部８により誤り訂正復号されたＢ２０〜Ｂ２０３の１８４ビットとを蓄積するものとする。信頼度算出部５は、復号制御情報蓄積部９に格納されたＴＭＣＣ信号を参照し、シンボル番号発生部４から出力された仮シンボル番号に対応した信頼度を算出する。
【０１２２】
なお、制御情報復号部８は、誤り訂正復号処理の結果として、誤り訂正復号を施された信号以外に、誤り訂正により訂正が行われたビットの数、及び誤り訂正が不可能であった場合にはそのことを示すフラグをも出力する。これらの情報を信頼度算出部５に供給し、信頼度算出部５がこれらの情報に基づいて信頼度を増減させる構成としてもよい。すなわち、制御情報復号部８において、誤り訂正復号処理を行ったものの、復号対象の符号誤り数が誤り訂正能力を超えており、及び誤り訂正が不可能であった場合には、所定の数値Ｎ８００を復号信頼度として信頼度算出部５に出力する。
【０１２３】
また、制御情報復号部８において、誤り訂正復号処理を行ったところ、Ｍビットの誤りが訂正された場合には、所定の数値Ｎ８１Ｍを復号信頼度として信頼度算出部５に出力する。信頼度算出部５は、制御情報復号部８から出力された復号信頼度を受け取り、信頼度算出部５内の加算器５３において、信頼度判定部５２から出力された１ないし複数個の信頼度に加え、復号信頼度を加算する。
【０１２４】
実施の形態３の方法によれば、実施の形態１に比較して、誤り訂正復号を施した制御情報を用いて信頼度算出を行うこととなり、検出性能を向上することができる。
【０１２５】
（実施の形態４）
次に本発明の実施の形態４におけるフレーム同期検出部について説明する。なお、実施の形態２及び実施の形態３と同一の信号処理を行う構成要素については、同一の符号を付し、それらの説明を省略する。
【０１２６】
図１２は実施の形態４におけるフレーム同期検出部９０９Ｄのブロック構成図である。この図に示す通り、フレーム同期検出部９０９Ｄは、実施の形態２及び実施の形態３の構成を併せ持つ構成となっている。
【０１２７】
本実施の形態の構成によれば、実施の形態１に比較して、処理時間の削減及び検出性能の向上がともに実現できる。
【０１２８】
なお、上記の実施の形態１〜４のいずれにおいても、フレーム同期検出部９０９はその動作タイミングとして、受信機が動作状態にある限り毎シンボルに動作することは必須ではない。特に、受信動作の開始後における数シンボル〜数十シンボルの期間は、フレーム同期検出処理に必要なだけの情報が、制御情報蓄積部３に蓄積されていないことが考えられる。このため、フレーム同期検出部９０９は、未蓄積の期間はその動作を停止していてもよい。
【０１２９】
なお、上記の実施の形態１〜４のいずれにおいても、制御情報蓄積部３は、受信動作開始時の蓄積データの初期値として、所定の値をとるものとしてもよい。更に制御情報蓄積部３は、受信動作開始時の蓄積データの初期値として、２０４ビット全てについて値「１」を持つものとしてもよい。
【０１３０】
なお、上記の実施の形態１〜４のいずれにおいても、最大値検出部６において、検出された信頼度の最大値が、所定の閾値Ｎ６００を越えた場合は、安定したフレーム同期が確立したものとみなし、それ以降は、出力する仮シンボル番号を１シンボルに１ずつ増加する。但しシンボル番号２０３の次のシンボル番号は０とする。この間、シンボル番号発生部４や信頼度算出部５は、その動作を停止していてもよい。
【０１３１】
（実施の形態５）
次に本発明の実施の形態５におけるＯＦＤＭ受信装置について説明する。なお、実施の形態１〜４と同一の信号処理を行う構成要素については、同一の符号を付し、それらの説明を省略する。図１５は実施の形態５におけるＯＦＤＭ受信装置８０１の全体構成図である。フレーム同期検出部Ｂ８０９は、ＦＦＴ部９０５から出力されるシンボル単位の信号に対し、フレームの先頭位置からシンボルの先頭位置までのずれ量を検出し、ずれ量を補正したシンボル番号を正規シンボル番号として、検波部９０６及び誤り訂正部９０７に供給する。制御情報検出部８１０は、フレーム同期検出部Ｂ８０９から出力されるシンボル番号に基づき、ＦＦＴ部９０５から出力されるシンボル単位の信号から制御情報を検出し、検出された制御情報を検波部９０６及び誤り訂正部９０７に出力する。ここでフレーム同期検出部Ｂ８０９は、従来のフレーム同期検出部と同様の構成を持つものとしてもよい。またフレーム同期検出部Ｂ８０９は、実施の形態１〜４に示したフレーム同期検出部９０９Ａ、９０９Ｂ、９０９Ｃ、９０９Ｄのいずれかの構成を持つものとしてもよい。
【０１３２】
図１６は実施の形態５における制御情報検出部８１０の構成を示すブロック図である。制御情報抽出部Ｂ８１１はＦＦＴ部９０５から出力されるキャリア信号から制御情報を抽出する。制御情報蓄積部Ｂ８１２は制御情報抽出部８０１から得られた制御情報を１フレーム分格納する。制御情報復号部Ｂ８１３は、フレーム同期検出部Ｂ８０９から発生されるシンボル番号に基づき、制御情報蓄積部Ｂ８１２に蓄積された制御情報に対して誤り訂正復号を行う。復号タイミング制御部８１４は、制御情報復号部Ｂ８１３において誤り訂正復号を行うタイミングを制御する。
【０１３３】
ここで制御情報復号部Ｂ８１３は、誤り訂正復号処理の結果として、誤り訂正復号が施された制御情報以外に、誤り訂正により訂正が行われたビットの数、及び誤り訂正が不可能であった場合にはそのことを示すフラグも出力する。復号タイミング制御部８１４は、これらの情報を基に制御情報復号部Ｂ８１３において誤り訂正復号を行うタイミングを制御する。すなわち、制御情報復号部Ｂ８１３において、誤り訂正復号処理を行った結果、復号対象の符号誤り数が所定の閾値ＮＴＨ（０以上の任意の数）以下であった場合には、それに続く制御情報復号部Ｂ８１３が誤り訂正復号を行うタイミングを、１フレームに１回の割合（フレームの末尾又は先頭）で行うものとする。また、制御情報復号部Ｂ８１３において、誤り訂正復号処理を行った結果、復号対象の符号誤り数が所定の閾値ＮＴＨより大きかった場合、および誤り訂正が不可能であった場合には、それに続く制御情報復号部Ｂ８１３が誤り訂正復号を行うタイミングを、１シンボルに１回の割合で行うものとする。
【０１３４】
従来のフレーム同期検出方法では、フレーム同期を確立するために平均で１．５フレーム、最大で２フレームの時間を必要としており、またそれに基づく制御情報復号方法は、誤り訂正復号を１フレームに１回の割合（フレームの末尾もしくは先頭）で行っていた。このため、フレームの先頭近くにある同期信号によりフレーム同期が検出された後、約１フレームが経過した時点で制御情報の誤り訂正復号を行うこととなり、結果的に正確な制御情報を得るまでに平均で２．５フレーム、最大で３フレーム程度の時間を必要としていた。
【０１３５】
実施の形態５の方法によれば、従来のフレーム同期検出方法との併用においては、フレーム同期が確立した時点で正しいシンボル番号が得られ、かつ少なくとも１フレーム分の制御情報が制御情報蓄積部Ｂ８１２に蓄積される。このため、フレーム同期確立の直後に制御情報の誤り訂正復号を行うことができ、正確な制御情報を得るまでの時間はフレーム同期を確立するのと同様に平均で１．５フレーム、最大で２フレームとなり、誤り訂正部９０７の処理に必要な制御情報をより速やかに得ることができる。
【０１３６】
また実施の形態５の方法において、実施の形態１〜４に示したフレーム同期検出部９０９Ａ、９０９Ｂ、９０９Ｃ、９０９Ｄのいずれかの構成を併せ持つ構成とした場合に、速やかなフレーム同期の確立によって、誤り訂正部９０７の処理に必要な制御情報をも更に速やかに得ることができる。
【０１３７】
なお、実施の形態５において、制御情報復号部Ｂ８１３は、受信動作開始後の数シンボル〜数十シンボルの期間は、誤り訂正復号に必要なだけの情報が制御情報蓄積部Ｂ８１２に蓄積されていないことが考えられるため、未蓄積の期間はその動作を停止していてもよい。
【０１３８】
なお、制御情報蓄積部Ｂ８１２は、受信動作開始時の蓄積データの初期値として、所定の値をとるものとしてもよい。更に制御情報蓄積部Ｂ８１２は、受信動作開始時の蓄積データの初期値として、２０４ビットの全てに値「１」を持つものとしてもよい。
【０１３９】
なお、実施の形態５において、回路規模の縮小のため、実施の形態１〜４に示したフレーム同期検出部９０９Ａ、９０９Ｂ、９０９Ｃ、９０９Ｄのいずれかの構成を併せ持つ構成とした場合に、図２の制御情報抽出部１と図１６の制御情報抽出部Ｂ８１１とを、また図２の制御情報蓄積部３と図１６の制御情報蓄積部Ｂ８１２とを、それぞれ単一のブロックとして共用する構成とすることも可能である。
【０１４０】
なお、実施の形態５において、回路規模の縮小のため、実施の形態３及び４に示したフレーム同期検出部９０９Ｃ、９０９Ｄのいずれかの構成を併せ持つ構成とした場合に、図１１及び図１２の制御情報復号部８と図１６の制御情報復号部Ｂ８１３とを、時間的に異なるタイミングで動作させることにより、単一のブロックとして共用する構成とすることも可能である。
【０１４１】
なお、上記の各実施の形態のいずれにおいても、日本国内の地上デジタル放送方式であるＩＳＤＢ−Ｔに基づいて説明を行ったが、欧州等で用いられている地上デジタル放送方式であるＤＢＶ−Ｔに対しても適用可能である。この場合、ＴＭＣＣ信号ではなく、ＴＰＳ信号と呼ばれる制御情報を用いてフレーム同期検出を行うものとする。また、ＤＢＶ−Ｔのみならず、同様の伝送方式をもつ類似の規格に対しても適用可能である。なお、上記の各実施の形態のいずれにおいても、その構成の一部をもしくは全部を集積回路としてもよい。例えば図１にＯＦＤＭ受信装置９０１において、Ａ／Ｄ変換部９０３〜誤り訂正部９０７の回路ブロックを１つの集積回路にまとめることができる。
【産業上の利用可能性】
【０１４２】
本発明にかかるフレーム同期検出方法又は回路は、１フレーム内に含まれる制御情報を用いて正規のシンボル番号を決定するようにしているので、同期信号だけを用いた場合よりもフレーム同期の確立が早くなる効果が得られる。このような機能は、フレーム同期を必須とする機器、例えば地上波デジタル放送受信機、通信機器端末、衛星デジタル放送受信機などに利用することができる。
【図面の簡単な説明】
【０１４３】
【図１】本発明の実施の形態におけるＯＦＤＭ受信装置の全体構成を示すブロック図である。
【図２】本発明の実施の形態１におけるフレーム同期検出部の構成を示すブロック図である。
【図３】実施の形態１のフレーム同期検出部において、制御情報抽出部の構成の一例を示すブロック図である。
【図４】実施の形態１のフレーム同期検出部において、制御情報抽出部の他の構成例を示すブロック図である。
【図５】実施の形態１のフレーム同期検出部において、信頼度算出部の構成を示すブロック図である。
【図６】実施の形態１のフレーム同期検出部において、データ抽出部の構成を示すブロック図である。
【図７】実施の形態１のフレーム同期検出部において、信頼度判定部の構成（その１）の構成を示すブロック図である。
【図８】実施の形態１のフレーム同期検出部において、信頼度判定部の構成（その２）の構成を示すブロック図である。
【図９】本発明の実施の形態２におけるフレーム同期検出部の構成を示すブロック図である。
【図１０】実施の形態２のフレーム同期検出部において、パイロット周期検出部の構成を示すブロック図である。
【図１１】本発明の実施の形態３におけるフレーム同期検出部の構成を示すブロック図である。
【図１２】本発明の実施の形態４におけるフレーム同期検出部の構成を示すブロック図である。
【図１３】地上デジタル放送方式におけるモード１の同期変調部のＯＦＤＭセグメント構成を示す図である。
【図１４】従来のフレーム同期検出回路の構成を示すブロック図である。
【図１５】本発明の実施の形態５におけるＯＦＤＭ受信装置の全体構成を示すブロック図である。
【図１６】本発明の実施の形態５における制御信号検出部の構成を示すブロック図である。
【符号の説明】
【０１４４】
１  制御情報抽出部
３  制御情報蓄積部
４  シンボル番号発生部
５  信頼度算出部
６  最大値検出部
７  パイロット周期検出部
８  制御情報復号部
９  復号制御情報蓄積部
１１  １シンボル遅延部
１２  複素共役乗算部
１３  極性判定部
１４  多数決判定部
１５  複素平均算出部
１６  極性判定部
５１  データ抽出部
５２  信頼度判定部
５３  加算器
７１  ４シンボル遅延部
７２  複素除算部
７３  群選択部
７４Ａ、７４Ｂ、７４Ｃ、７４Ｄ  累積部
７５Ａ、７５Ｂ、７５Ｃ、７５Ｄ  電力算出部
７６  比較判定部
７７  ＳＰタイミング発生部
１０１  差動復調部
１０２  多数決判定部
１０３  １フレーム蓄積部
１０４  １フレーム遅延部
１０５  排他的論理和演算器
１０６  パターン検出部
１０７  フレーム誤差検出部
５０１  同期信号抽出部
５０２  セグメント形式識別抽出部
５０３  システム識別抽出部
５０４  部分受信フラグ抽出部
５０５  キャリア変調方式（Ａ階層）抽出部
５０６  畳込み符号化率（Ａ階層）抽出部
５０７  インターリーブ長（Ａ階層）抽出部
５０８  セグメント数（Ａ階層）抽出部
５０９  キャリア変調方式（Ｂ階層）抽出部
５１０  畳込み符号化率（Ｂ階層）抽出部
５１１  インターリーブ長（Ｂ階層）抽出部
５１２  セグメント数（Ｂ階層）抽出部
５１３  キャリア変調方式（Ｃ階層）抽出部
５１４  畳込み符号化率（Ｃ階層）抽出部
５１５  インターリーブ長（Ｃ階層）抽出部
５１６  セグメント数（Ｃ階層）抽出部
５１７  リザーブビット抽出部
５２１  同期信号判定部
５２２  セグメント形式識別判定部
５２３  システム識別判定部
５２４  部分受信フラグ判定部
５２５  キャリア変調方式（Ａ階層）判定部
５２６  畳込み符号化率（Ａ階層）判定部
５２７  インターリーブ長（Ａ階層）判定部
５２８  セグメント数（Ａ階層）判定部
５２９  キャリア変調方式（Ｂ階層）判定部
５３０  畳込み符号化率（Ｂ階層）判定部
５３１  インターリーブ長（Ｂ階層）判定部
５３２  セグメント数（Ｂ階層）判定部
５３３  キャリア変調方式（Ｃ階層）判定部
５３４  畳込み符号化率（Ｃ階層）判定部
５３５  インターリーブ長（Ｃ階層）判定部
５３６  セグメント数（Ｃ階層）判定部
５３７  リザーブビット判定部
８０１、９０１  ＯＦＤＭ受信装置
８０９  フレーム同期検出部Ｂ
８１０  制御情報検出部
８１１  制御情報抽出部Ｂ
８１２  制御情報蓄積部Ｂ
８１３  制御情報復号部Ｂ
８１４  復号タイミング制御部
９０２  チューナ部
９０３  Ａ／Ｄ変換部
９０４  直交復調部
９０５  ＦＦＴ部
９０６  検波部
９０７  誤り訂正部
９０８  データ復号部
９０９，９０９Ａ，９０９Ｂ，９０９Ｃ，９０９Ｄ  フレーム同期検出部
【図１】
2005065219.tif 000003
【図２】
2005065219.tif 000004
【図３】
2005065219.tif 000005
【図４】
2005065219.tif 000006
【図５】
2005065219.tif 000007
【図６】
2005065219.tif 000008
【図７】
2005065219.tif 000009
【図８】
2005065219.tif 000010
【図９】
2005065219.tif 000011
【図１０】
2005065219.tif 000012
【図１１】
2005065219.tif 000013
【図１２】
2005065219.tif 000014
【図１３】
2005065219.tif 000015
【図１４】
2005065219.tif 000016
【図１５】
2005065219.tif 000017
【図１６】
2005065219.tif 000018